(57)【特許請求の範囲】
【請求項１】
基板ケースに収納された基板と、
前記基板の素子搭載領域に搭載され、各種部品の状態を示す複数の発光素子と、
を備え、
前記素子搭載領域には、前記複数の発光素子として、遊技媒体を貯蔵可能な補助タンクに対応する補助タンクセンサの状態を示す補助タンク用素子と、前記補助タンクセンサ以外の前記各種部品の状態を示す複数の特定素子と、が搭載され、
前記複数の特定素子には、正常な状態であり、かつ、電源がＯＮとなっている場合は常時点灯する特別素子が設けられ、
前記特別素子は、前記素子搭載領域において、隣接する発光素子の数が最多とならない位置に配置され、
前記補助タンク用素子は、前記素子搭載領域において、隣接する発光素子の数が最少となる位置に配置されている遊技機。
【発明の詳細な説明】
【技術分野】
【０００１】
本発明は、遊技機に関する。
【背景技術】
【０００２】
特許文献１には、メイン基板上に各スイッチ類やセンサ類に対応する発光素子を設け、発光素子を確認することで各スイッチ類やセンサ類の確認（点検）を行える技術が記載されている。
【先行技術文献】
【特許文献】
【０００３】
【特許文献１】特開２０１７−１５８７９２号公報
【発明の概要】
【発明が解決しようとする課題】
【０００４】
しかし、各スイッチ類やセンサ類の確認を容易に行うための発光素子の配置に関して未だ改善の余地がある。
そこで、本発明は、各スイッチ類やセンサ類等の各種部品の確認を容易に行えるよう発光素子が配置された遊技機を提供することを目的とする。
【課題を解決するための手段】
【０００５】
上記課題を解決するために、本発明は、以下のような構成を備える。
本発明に係る遊技機は、基板ケースに収納された基板と、前記基板の素子搭載領域に搭載され、各種部品の状態を示す複数の発光素子と、を備え、前記素子搭載領域には、前記複数の発光素子として、遊技媒体を貯蔵可能な補助タンクに対応する補助タンクセンサの状態を示す補助タンク用素子と、前記補助タンクセンサ以外の前記各種部品の状態を示す複数の特定素子と、が搭載され、前記複数の特定素子には、正常な状態であり、かつ、電源がＯＮとなっている場合は常時点灯する特別素子が設けられ、前記特別素子は、前記素子搭載領域において、隣接する発光素子の数が最多とならない位置に配置され、前記補助タンク用素子は、前記素子搭載領域において、隣接する発光素子の数が最少となる位置に配置されている。
【０００６】
ここで、補助タンクの底壁部には遊技媒体の排出口が形成されており、この排出口は開閉蓋により開閉できるようになっている。また、補助タンク用素子は、補助タンクに所定量の遊技媒体が貯蔵された場合に発光態様により当該状況を示すこととなっている。
【０００７】
そのため、この構成に係る遊技機が遊技媒体の自動回収装置を備える遊技店に設置された場合は、開閉蓋を開放することで排出口から自動回収装置に遊技媒体が落下することとなるため、補助タンクに所定量の遊技媒体が貯蔵されない状況が存在する。したがって、この構成に係る遊技機が遊技媒体の自動回収装置を備える遊技店に設置された場合は、補助タンク用素子が発光態様により補助タンクに所定量の遊技媒体が貯蔵されたことを示す必要がないことがある。
【０００８】
そして、この構成では、遊技媒体を貯蔵可能な補助タンクに対応する補助タンクセンサの状態を示す補助タンク用素子は、素子搭載領域において、隣接する発光素子の数が最少となる位置に配置されている。
【０００９】
したがって、この構成によれば、遊技店の設備次第で確認することが不要となる補助タンク用素子を素子搭載領域のうち隣接する発光素子の数が最少となる位置に配置することで、作業時にその他の素子搭載領域に配置された特定素子のみを確認すれば足りるとともに、補助タンク用素子の存在により特定素子の確認作業を妨げることが抑制される。
【００１０】
以上、この構成によれば、各スイッチ類やセンサ類等の各種部品の確認（点検）を容易に行えるよう発光素子が配置された遊技機を提供することができる。
【図面の簡単な説明】
【００１１】
【図１】本実施の形態における遊技機の概略正面図である。
【図２】本実施の形態における遊技機の入力、制御及び出力を示すブロック図である。
【図３】図２のメイン制御手段の詳細を説明するための概略ブロック図である。
【図４】図２のサブ制御手段の詳細を説明するための概略ブロック図である。
【図５】本実施の形態における遊技状態の説明図である。
【図６】本実施の形態における非有利区間及び有利区間の説明図である。
【図７】本実施の形態における遊技の流れを説明するためのフローチャートである。
【図８】第１の実施形態におけるメイン基板の概略正面図である。
【図９】第１の実施形態におけるモニターランプの模式図である。
【図１０】第１の実施形態における説明資料の一例である。
【図１１】第２の実施形態におけるメイン基板の概略正面図である。
【図１２】第２の実施形態におけるモニターランプの模式図である。
【図１３】第２の実施形態における説明資料の一例である。
【図１４】第３の実施形態におけるメイン基板の概略正面図である。
【図１５】第３の実施形態におけるモニターランプの模式図である。
【図１６】第３の実施形態における説明資料の一例である。
【図１７】第４の実施形態における説明資料の一例である。
【発明を実施するための形態】
【００１２】
（第１の実施形態）
（遊技機10）
本明細書では、各説明箇所において、方向についての定義等が示されていない場合には、遊技機10の方を向いて位置している遊技者から見て、遊技機10から遊技者の手前側に向かう方向を「前」方向とし、その逆方向を「後」方向とする。また、同様に、「左」や「右」等の左右方向及び「上」や「下」等の上下方向も、遊技者から見た場合の左方向や右方向、又は上方向や下方向を意味する。同様に、各部材の説明においても、方向についての定義等が示されていない場合には、各部材を、遊技機10の所定位置に固定した場合における遊技者から見た方向を意味する。
第１の実施形態に係る遊技機10としてのスロットマシンを、以下、図面を参照しながら説明する。
【００１３】
（筐体12、前扉14）
図１に示すように、第１の実施形態に係る遊技機10としてのスロットマシンは、前方向に向かって開口する正面開口を有する四角箱状の筐体12と、この筐体12の正面開口を開閉自在に覆う前扉14とを備えている。
【００１４】
（回転リール62）
前扉14の上部には、薄板樹脂からなる上パネル20を備えている。この上パネル20の略中央には、３個の回転リール62（正面から向かって左側の左回転リール64、中央の中回転リール66、右側の右回転リール68）の円周上の図柄61を見ることができる透過可能な図柄表示窓部16が形成されている。この図柄表示窓部16は、３個全ての回転リール62の回転が停止した際には、縦３列横３行に配置した合計９個の図柄61を遊技者に見せるように形成されている。この図柄表示窓部16は、回転リール62の正面側に設けられて、回転リール62の回転が停止した際、後述する有効ライン86上に停止している複数の図柄61を視認するためのものである。回転リール62は、複数の図柄61を図柄表示窓部16を介して変動表示可能なものである。
【００１５】
（リールユニット60）
前記図柄表示窓部16の後方向（奥方向）には、３個のリール駆動モータ65と、この各リール駆動モータ65によってそれぞれ回転させられる合計３個の前記回転リール62と、前記リール駆動モータ65及び前記回転リール62を保持するユニットホルダ（図示せず）とを有するリールユニット60が配置されている。リール駆動モータ65は、メイン制御手段200から出力されるリール駆動モータ65を駆動するための駆動信号に基づき駆動する。また、リールユニット60には、回転リール62の回転位置が基準となる位置（基準位置）であるか否かを検知するために回転リール62に設けられた突起片（図示せず）を検知するリール位置センサ63が設けられている。そして、このリール位置センサ63は、左回転リール64に対応する左回転リールセンサ、中回転リール66に対応する中回転リールセンサ、及び右回転リール68に対応する右回転リールセンサが設けられている。
【００１６】
（クレジット表示器87、払出枚数表示器88）
前記図柄表示窓部16の下方には、クレジットメダルの貯留枚数（以下、「クレジットメダル数」とする）を表示するクレジット表示器87と、このクレジット表示器87の左側に配置され、遊技機10から払い出されたメダルの総数を表示する払出枚数表示器88とが設けられている。これらの表示器は、例えば２個の７セグメントＬＥＤで構成されている。このような構成により、クレジット表示器87では、クレジットメダル数に対応する２桁の数字が表示可能となっており、払出枚数表示器88では、払出枚数に対応する２桁の数字が表示可能となっている。
【００１７】
第１の実施形態に係る遊技機10は、後述するメダル投入口38に投入したメダルを最大５０枚までクレジットメダルとして内部に貯留可能なクレジット機能（投入枚数を電子データとして電子的に記憶し管理する機能）を有している。そして、このクレジットメダルとして貯留可能な最大枚数である５０枚を「最大クレジットメダル数」とする。
【００１８】
（区間報知ランプ90）
前扉14のうち、クレジット表示器87と払出枚数表示器88との間には、現在の状態が「有利区間」であることを発光態様により報知する区間報知ランプ90が設けられている。
ここで、「有利区間」とは、遊技者にとって有利なストップスイッチ50の押し順の表示が行われない非有利区間から移行可能であり、上記の押し順の表示が可能な区間である。
【００１９】
この区間報知ランプ90は、有利区間へ移行する契機となる予め定められた役に当選したゲームの所謂第３停止後に点灯するように設定されている。そして、区間報知ランプ90が点灯した場合には、当該有利区間中は常時点灯される。
なお、区間報知ランプ90の点灯は、上述した場合に限定されず、他の場合、例えば、後述するＡＴ状態への移行時に点灯するようにしてもよい。
【００２０】
ここで、区間報知ランプ90のみで現在の状態が「有利区間」であることを発光態様により報知することに限らず、例えば、クレジット表示器87又は払出枚数表示器88を構成する特定の７セグメントＬＥＤと区間報知ランプ90との双方を用いて、現在の状態が「有利区間」であることを発光態様により報知してもよい。
また、区間報知ランプ90を設けずに、例えば、クレジット表示器87又は払出枚数表示器88を構成する特定の７セグメントＬＥＤを用いて、現在の状態が「有利区間」であることを発光態様により報知してもよい。
【００２１】
（操作部30）
前記前扉14の下部には下パネル22が設けられている。そして、前扉14には下パネル22の上に位置して前扉14の前方向へ向けて突出する操作部30を備えている。この操作部30は、メダル投入口38と、精算スイッチ36と、ストップスイッチ50と、スタートスイッチ40と、ベットスイッチ32と、演出用ボタンスイッチ42と、を備えている。
【００２２】
（メダル投入口38）
操作部30の右側部分には、遊技機10の内部へ遊技媒体としてのメダルを投入するためのメダル投入口38が設けられている。
【００２３】
（メダルセレクター17）
前扉14の裏側であって、前記メダル投入口38の近傍には、メダル投入口38に投入されたメダルが正規のものか否かを選別して、正規のメダルのみをホッパーユニット24に導くメダルセレクター17が設けられている。このメダルセレクター17には、メダル投入口38に投入されたメダルが前扉14の裏側に設けられた所定の流路（メダル通路）を通過する際にメダルに関する検知を順々に行う各種部品として、セレクターセンサＡ、セレクターセンサＢ、及びセレクターセンサＣを備えるセレクターセンサ92（図２参照）が設けられている。
【００２４】
セレクターセンサ92は、所定の流路（メダル通路）において、メダルが通過する通過方向の上流側から下流側に向かって、セレクターセンサＣ→セレクターセンサＡ→セレクターセンサＢの順に配置されている。これにより、セレクターセンサ92は、セレクターセンサＣ→セレクターセンサＡ→セレクターセンサＢの順にメダルに関する検知を行うこととなっている。
【００２５】
なお、メダルセレクター17において非正規のメダルとして排除されたメダルや、ホッパーユニット24から払い出されたメダルは、返却通路を通過してメダル払出口28から払い出される。
【００２６】
（精算スイッチ36）
メダル投入口38の下方には、クレジット機能によりクレジットしたメダルの全てを払い出すための精算スイッチ36が設けられている。
【００２７】
（ストップスイッチ50）
前記操作部30の中央には、操作により対応する回転リール62の回転を停止させるため、３個の回転リール62のそれぞれに対応する３個のストップスイッチ50が設けられている。このストップスイッチ50は、左回転リール64を停止させるための左ストップスイッチＬと、中回転リール66を停止させるための中ストップスイッチＣと、右回転リール68を停止させるための右ストップスイッチＲとを有している。すなわち、これらのストップスイッチ50は、複数の回転リール62それぞれに対応して設けられ、複数の回転リール62の図柄61の変動表示の開始後、遊技者の操作により回転リール62の図柄61の変動表示を個別に停止させるためのものである。
【００２８】
（スタートスイッチ40）
このストップスイッチ50の左側には、メダルの投入又は後述するベットスイッチ32の操作を条件に回転リール62の回転を開始させるためのスタートスイッチ40が設けられている。すなわち、このスタートスイッチ40は、遊技者の操作により回転リール62の図柄61の変動表示を開始させるためのものである。
【００２９】
（ベットスイッチ32）
このスタートスイッチ40の上方には、ベットスイッチ32として、クレジットしたメダル数から最大投入枚数（具体的には３枚）に達するまで投入可能なメダル数を減じて３枚のメダル投入に代えるマックスベットスイッチ34と、クレジットしたメダル数から１枚のメダル数を減じて１枚のメダル投入に代えるシングルベットスイッチ35とが設けられている。
【００３０】
（演出用ボタンスイッチ42）
マックスベットスイッチ34の右側には、所定の演出において遊技者が操作可能な演出用ボタンスイッチ42が設けられている。
また、前記前扉14の裏側には、扉開閉用スイッチ19、設定変更スイッチ46、設定表示器89などが配置されている（図２参照）。
【００３１】
（扉開閉用スイッチ19）
扉開閉用スイッチ19は前扉14が閉じているか否かを検知するためのものである。この扉開閉用スイッチ19は、前扉14が閉塞している場合に、前扉14の背面と扉開閉用スイッチ19の前面とが押圧されることでオンとなり、前扉14が開放するに従って、前扉14の背面が扉開閉用スイッチ19の前面から離間して押圧が解除されることでオフとなる。
【００３２】
（設定変更スイッチ46）
設定変更スイッチ46は、後述するメイン基板ユニット（図示せず）の設定キースイッチ45と共に設定変更を行うためのものである。
【００３３】
（設定表示器89）
設定表示器89は、例えば７セグメントの小型のＬＥＤにより、複数段階設けられた設定値を表示するものである。設定表示器89には、当該遊技機10の設定値が表示されるが、外部から視認できないようにすべく、設定後一定時間が経過するとその表示は解除される。
【００３４】
また、前記前扉14の下部に相当する筐体12の内部には、メダルを貯留することができるとともに、メダルを払い出すことができるホッパーユニット24と、電源投入又は電源遮断のための操作が可能な電源スイッチ44を有すると共に各部品に電力を供給するための電源ユニット43とが配置されている（図２参照）。
【００３５】
（ホッパーユニット24）
このホッパーユニット24（「遊技媒体払出装置」ともいう）には、その駆動によりメダルをメダル払出口28に向けて払い出すホッパーモータ95と、ホッパーユニット24の出口に設けられ、メダル払出口28に払い出されたメダルを１枚ずつ検知する払出センサ94と、を備えている。
【００３６】
払出センサ94は、ホッパーユニット24から払い出されたメダルを１枚ずつ検知する各種部品として、払出センサＡ及び払出センサＢが設けられている。そして、払出センサ94は、払出センサＡ→払出センサＢの順にメダルに関する検知を行うこととなっている。
【００３７】
（補助タンク）
また、ホッパーユニット24の近傍には、メダルタンク（図示せず）から溢れたメダルを貯蔵可能な補助タンク（図示せず）が設けられている。そして、補助タンクには、補助タンク内のメダルが所定量（満杯）になったことを検知してメイン制御手段200へ信号を出力するオーバーフローセンサ96が設けられている。
【００３８】
（電源ユニット43）
電源ユニット43には、電源投入又は電源遮断のための操作が可能な電源スイッチ44が設けられている。
【００３９】
（設定キースイッチ45）
後述するメイン基板202を含むメイン基板ユニット（図示せず）には、遊技者にとっての有利度合いの指標となる設定値の変更が可能な状態（設定変更状態）に制御するための設定キースイッチ45が設けられている。
【００４０】
（解除センサ77）
解除センサ77は、払出しメダル切れエラーを解除する際にドアキー13（図１参照）の操作を検知するために使用されるセンサである。
【００４１】
（メダル払出口28等）
前記前扉14の下部には、所定の場合にホッパーユニット24からメダルが払い出されるメダル払出口28が形成されている。このメダル払出口28の下方には、メダル払出口28から払い出されたメダルを貯留するため、上方に向かって開口する皿状のメダル受け皿26が形成されている。なお、クレジットされているメダル数が最大クレジットメダル数である５０枚未満の場合は、５０枚に到達するまで、獲得したメダルはメダル払出口28から払い出されずにクレジットメダルの枚数に加算される。
【００４２】
（遊技の流れの説明）
第１の実施形態に係る遊技機10は、マックスベットスイッチ34やシングルベットスイッチ35等の操作又はメダル投入により所定枚数のメダルを投入することにより遊技の開始を可能とするものである。そして、スタートスイッチ40の押下操作により、回転リール62の回転を開始させて遊技が開始されるとともに、複数の役の少なくとも何れか１つに当選か又はハズレかの役抽選が行われる。そして、当該遊技機10は、各回転リール62に対応するストップスイッチ50の操作タイミング及び役抽選の結果に基づいて、回転リール62の回転を役抽選の結果に適合するように停止させる。当該遊技機10は、停止時の図柄61の組合せによって、当選した役を構成する図柄61の組合せが所定の有効なライン（所定の役の図柄61の組合せが当該ライン上に揃ったときに所定の配当としてのメダルが付与されるラインのことであり、以下、有効ライン86とする。）上に停止した場合に、入賞等となり、所定枚数のメダルを払い出す等の所定の配当を遊技者に付与する。これにより、１回の遊技が終了するものである。
【００４３】
（演出装置70）
前記前扉14には、遊技者に役抽選の当選等の種々の情報を音や光や映像等で報知させるための演出装置70が形成されている。この演出装置70は、スピーカー72と、演出用ランプ78と、表示部84と、バックランプ67と、を備えている。
【００４４】
（スピーカー72）
前記スピーカー72は、前扉14の上部左右に配置された上部スピーカー74と、前扉14の下部左右に配置された下部スピーカー76とを備えている。
【００４５】
（演出用ランプ78）
前記演出用ランプ78は、前扉14の上部に配置された上部ランプ80と、前扉14の下部の左右に配置された下部ランプ82とを備えている。
【００４６】
（表示部84）
前記表示部84は、その画面に種々の情報を表示するための液晶表示装置である。
【００４７】
（バックランプ67）
前記バックランプ67は、リールユニット60に設けられており、回転リール62上の図柄61を照らすためのものである。
【００４８】
（制御装置100）
図２に示すように、遊技機10の内部には、遊技機10の全体の動作を制御するための制御装置100が形成されている。この制御装置100は、遊技を進行させて遊技を制御するメイン制御手段200と、このメイン制御手段200からの情報（コマンド）を受けて、遊技の進行に応じた演出を制御し、主に遊技内容に関する情報を遊技者に報知する演出を行うサブ制御手段500とを備えている。
【００４９】
なお、メイン制御手段200とサブ制御手段500との間は、メイン制御手段200への不正操作を防止するために、メイン制御手段200からサブ制御手段500への一方向の通信により行われ、サブ制御手段500からメイン制御手段200への逆方向の通信は行われていない（すなわち双方向の通信ではない）。メイン制御手段200は、メダルセレクター17、スタートスイッチ40、ベットスイッチ32、ストップスイッチ50、設定変更スイッチ46、精算スイッチ36、扉開閉用スイッチ19、電源ユニット43、設定キースイッチ45、リールユニット60、ホッパーユニット24、オーバーフローセンサ96、及び解除センサ77の入力を受け付け、クレジット表示器87、払出枚数表示器88、リールユニット60、ホッパーユニット24、設定表示器89及び区間報知ランプ90の作動を制御する。サブ制御手段500は、メイン制御手段200、及び演出用ボタンスイッチ42からの信号を入力し、演出用ランプ78等の演出装置70の作動を制御する。サブ制御手段500には、演出装置70としての演出用ランプ78、スピーカー72、表示部84及びバックランプ67の各パーツが接続されている。
【００５０】
なお、特に図示していないが、メイン制御手段200を有するメイン基板202と、サブ制御手段500を有するサブ基板とは、それぞれ専用の基板ケースの内部に収納されている。具体的には、メイン制御手段200は、メイン基板ケースの内部に収納され、サブ制御手段500は、サブ基板ケースの内部に収納されている。そして、メイン基板ケースは、筐体12内部の奥側の上部に固定され、サブ基板ケースは、筐体12内部の正面から向かって左側に固定されている。なお、メイン基板202は「基板」の一例であり、メイン基板ケースは「基板ケース」の一例である。
【００５１】
メイン制御手段200及びサブ制御手段500は、ＣＰＵ、ＲＯＭ、ＲＡＭ、Ｉ／Ｏポート（図示せず）を備えたマイクロコンピュータにより構成される。ＣＰＵは、タイマ割込などの割込機能を持ち、ＲＯＭに記憶されたプログラムを実行して、種々の処理を行う。ＲＯＭは、ＣＰＵが実行するプログラムや各種テーブル等の固定的なデータを記憶し、ＲＡＭは、ＣＰＵがプログラムを実行する際の一時的な記憶領域、例えば遊技機10の状態を記憶するための記憶領域や、役抽選の抽選結果を記憶するための記憶領域として使用される。
【００５２】
ここで、メイン制御手段200が備えるＣＰＵ、ＲＯＭ、ＲＡＭ等のチップ部品は、メイン基板202に搭載されている。また、このメイン基板202には、遊技機10の各種部品の状態を示す複数のモニターランプ140が搭載されている。なお、モニターランプ140の詳細については後述する。
【００５３】
（外部集中端子板18）
また、筐体12内部の正面から向かって右側には、外部集中端子板18が設けられている。
外部集中端子板18は、遊技データを遊技機10外部に出力させるものであり、メイン制御手段200と配線される接続端子（コネクタ）や、外部機器（図示省略）と配線される接続端子（コネクタ）が設けられた端子板である。また、外部集中端子板18は、図示しないが、遊技島設備（例えばデータ表示器）やホールコンピュータに接続されている。
【００５４】
（メイン制御手段200）
メイン制御手段200は、図３に示すように、役抽選手段210、リール制御手段220、停止図柄判定手段230、配当付与手段240、遊技状態制御手段250、有利区間制御手段260、及び送信手段270の各手段を有する。各手段の詳細については後述する。
【００５５】
以上の構成をもって、メイン制御手段200は、役の抽選を行い、回転リール62の回転及び停止を制御し、回転リール62が全て停止したときに停止図柄61の判定を行い、遊技の進行を行う手段として機能することとなる。
メイン制御手段200は、遊技を制御するためのものであって、遊技を進行させるためのものである。以下、第１の実施形態における遊技について説明する。
【００５６】
規定の賭け数（３枚又は２枚）が設定されると、１本の有効ライン86が設定される。なお、第１の実施形態に係る遊技機10は、規定の賭け数として３又は２が設定されている。賭け数を設定する方法には、メダル投入口38からメダルを投入する方法と、ベットスイッチ32を操作することによってクレジットメダルを賭け数として設定する方法とがある。そして、規定の賭け数（３枚又は２枚）が設定されていることを条件に、スタートスイッチ40を操作すると、賭け数が確定し、役抽選手段210により、複数の役の何れかに当選したか又はハズレかの抽選（役抽選）が行われる。また、役抽選とほぼ同時に、前回の遊技での回転リール62の回転開始時から所定の時間（第１の実施形態では、４．１秒）が経過しているか否かが判定され、所定の時間が経過すると、３個全ての回転リール62の回転が開始する。
【００５７】
回転リール62の回転開始後、所定の条件（第１の実施形態では、回転リール62を加速する処理を実行した後、リール位置センサ63により回転リール62の回転位置が基準位置であると検知すること）が成立すると、ストップスイッチ50の操作が可能な状態（停止操作可能状態）となる。
その後に、３個のストップスイッチ50のうち１個を操作すると、当該ストップスイッチ50に対応した回転リール62の回転が停止する。そして、３個全てのストップスイッチ50の操作を終えると、３個全ての回転リール62の回転が停止する。
【００５８】
このとき、有効ライン86上に所定の図柄61の組合せが揃うと、当該図柄61の組合せに対応した処理が行われる。第１の実施形態に係る遊技機10は、有効ライン86上に予め定められた図柄61の組合せが揃うと遊技者に配当としてのメダルが付与されるように形成されている。例えば小役（メダルの払い出しを伴う役）に対応した図柄61の組合せが有効ライン86上に揃うと、小役に対応した枚数のメダルが遊技者に対して付与される。
【００５９】
また、有効ライン86上に再遊技役（遊技者所有のメダルを使用することなく次回の遊技を開始可能とする役、所謂リプレイ役）に対応する図柄61の組合せが揃うと、メダルの払い出しはないものの、次回の遊技において遊技者所有のメダルを使用することなく賭け数が自動的に設定され遊技を行うことができる。
【００６０】
（役抽選手段210）
役抽選手段210は、当選役を決定する役抽選を実行するものである。すなわち、役抽選手段210は、スタートスイッチ40の操作を契機に、複数の役の何れか（１つ又は複数）に当選か又はハズレかの役抽選を行うためのものである。役抽選手段210は、役に当選したか否かを決定するための役抽選テーブルを、主な分類としてノーマル遊技状態用、ボーナス内部中状態用、ボーナス遊技状態用のそれぞれに対応して複数備えており、メイン制御手段200のＲＯＭ上に記憶されている。役抽選手段210は、予め定めた抽選データと、所定範囲の整数値を繰り返してカウントするループカウンタを有する所定の乱数発生手段（乱数発生回路）が発生した乱数のうちから抽出した乱数とを比較して、当選か否かを判定する。
【００６１】
役抽選手段210の役抽選に用いる当選確率は、図示しない役抽選テーブルにより、予めプログラムされた範囲内で遊技店の管理者により変更可能に形成されている。具体的には、その当選確率を規定するための値である複数段階の設定値を変更するための筐体12内部の設定変更スイッチ46を操作することにより、複数段階の設定値のうち何れか１つの特定の設定値が選択される。そして、役抽選手段210は、選択された設定値毎に予め定められた抽選確率で役抽選を行っている。
【００６２】
また、第１の実施形態における設定値は、設定値「１」から「６」の６段階に設定されている。なお、設定値は複数段階であれば、設定値「１」から「６」の６段階に限られず、例えば「１・３・６」又は「２・４・６」としてもよい。
第１の実施形態では、役抽選手段210により抽選される役として、大別すると、小役、リプレイ役、ボーナス移行役（遊技状態の移行を伴う役）が設けられている。
【００６３】
（リール制御手段220）
リール制御手段220は、各回転リール62の回転を停止させるためのものである。リール制御手段220は、役抽選手段210の役抽選結果と、各ストップスイッチ50が操作されたときの対応する回転リール62の回転位置とに基づいて、各回転リール62の回転を停止させる。なお、リール制御手段220は、必要に応じて各ストップスイッチ50の押し順が所定の条件に適合しているか否かも停止させる条件にする場合がある。
【００６４】
（停止図柄判定手段230）
停止図柄判定手段230は、全ての回転リール62が停止した際における有効ライン86上の図柄61の組合せを記憶するとともに入賞等の判定をするためのものである。
【００６５】
（配当付与手段240）
配当付与手段240は、停止図柄判定手段230の判定結果に基づいて、メダル払い出し等の所定の配当の付与を行うものである。配当付与手段240は、停止図柄判定手段230の判定の結果、小役が入賞していると判定されると配当としてのメダルの払い出しを行う。
【００６６】
（遊技状態制御手段250）
遊技状態制御手段250は、遊技状態を制御するものである。
具体的には、遊技状態制御手段250は、図３に示すように、大別すると、ノーマル遊技状態制御手段251、ボーナス内部中状態制御手段252及びボーナス遊技状態制御手段253の各手段を有する。
【００６７】
（ノーマル遊技状態制御手段251）
ノーマル遊技状態制御手段251は、「ノーマル遊技状態」（図５参照）を制御するものである。ここで、ノーマル遊技状態は、ボーナス内部中状態制御手段252によるボーナス内部中状態、ボーナス遊技状態制御手段253によるボーナス遊技状態、以外の状態をいう。
【００６８】
（ボーナス内部中状態制御手段252）
ボーナス内部中状態制御手段252は、「ボーナス内部中状態」（図５参照）を制御するものである。ここで、ボーナス内部中状態は、ボーナス移行役として、例えば、「ＣＢＢ１」、「ＣＢＢ２」に当選したが、当該ボーナス移行役に対応した図柄61の組み合わせを有効ライン86上に停止表示できなかった場合に移行する。
【００６９】
（ボーナス遊技状態制御手段253）
ボーナス遊技状態制御手段253は、「ボーナス遊技状態」（図５参照）を制御するものである。
ボーナス遊技状態は、ボーナス移行役として、例えば、「ＣＢＢ１」、「ＣＢＢ２」に当選し、当該ボーナス移行役に対応した図柄61の組み合わせを有効ライン86上に停止表示させることで移行する。
【００７０】
ここで、ボーナス遊技状態「ＣＢＢ１」、「ＣＢＢ２」は、所定の枚数、例えば２００枚を超えるメダルの払い出しで終了する。
そして、ボーナス遊技状態終了後、ノーマル遊技状態に移行する。
【００７１】
（有利区間制御手段260）
有利区間制御手段260は、図６を用いて後述するストップスイッチ50の押し順を報知不可能な非有利区間と、報知可能な有利区間とを制御するものである。そして、有利区間制御手段260は、後述する報知手段520を用いてストップスイッチ50の押し順を報知させる演出等を実行させる。
【００７２】
また、有利区間制御手段260は、所定条件が成立した場合、例えば、役抽選により予め定められた役に当選した場合に行われる「非有利区間」から「有利区間」への移行抽選に当選することにより「非有利区間」から「有利区間」へ移行させる（図６参照）。
なお、役抽選により予め定められた役に当選することを契機に実行される抽選（有利区間移行抽選）により、有利区間へ移行することが決定された場合に移行する場合に限定されず、予め定められた役に当選することにより、有利区間移行抽選をすることなく非有利区間から有利区間へ移行するようにしてもよい。
【００７３】
また、有利区間制御手段260は、役抽選により予め定められた役に当選した場合に、有利区間通常状態からＡＴ状態へ移行するか否かの移行抽選（ＡＴ移行抽選）を行い、当該ＡＴ移行抽選に当選した場合に、有利区間通常状態からＡＴ状態へ移行させる。
【００７４】
なお、役抽選により予め定められた役に当選した場合に、ＡＴ移行抽選を行う場合に限定されず、役抽選により入賞した役に基づいて、ＡＴ移行抽選を行うようにしてもよい。また、役抽選により予め定められた役に当選した場合は、ＡＴ移行抽選をせずに、ＡＴ状態へ移行するようにしてもよい。
【００７５】
また、有利区間制御手段260は、有利区間へ移行したときにゲーム数の計数を開始し、計数されたゲーム数が、天井ゲーム数抽選により決定された所定のゲーム数、例えば６６６ゲーム、に到達することにより、後述するＡＴ状態へ移行させるようにしている（所謂天井）。
【００７６】
なお、所定のゲーム数は、抽選により決定される場合に限定されず、予め定められたゲーム数であってもよい。
また、有利区間は、遊技可能な遊技区間に上限が設定されており、非有利区間から有利区間へ移行してから、所定の上限ゲーム数、例えば１５００ゲームを消化した場合は、有利区間の上限ゲーム数に到達したとして、有利区間から非有利区間へ移行するようにしている。
【００７７】
また、第１の実施形態では、非有利区間から有利区間へ移行した後、所定の上限ゲーム数（１５００ゲーム）を消化する前（有利区間の上限ゲーム数に到達する前）であっても、予め定められた所定枚数の出玉（例えば所謂ＭＹ２４００枚）を獲得したときには、これを契機に、上限ゲーム数を消化する前であっても、有利区間から非有利区間へ移行するようにしている。
【００７８】
なお、有利区間において、有利区間の上限ゲーム数に到達する前や、ＭＹ２４００枚を獲得する前であっても、ボーナス遊技状態の終了やＡＴ状態の終了等といった任意の契機で有利区間から非有利区間へ移行させることもできる。
【００７９】
（送信手段270）
送信手段270は、サブ制御手段500へ信号を送信するためのものである。
送信手段270は、例えば、セレクターセンサ92の検知を契機に送信される投入検知信号、ベットスイッチ32での検知を契機に送信される投入操作信号、スタートスイッチ40での検知を契機に送信されるスタート信号、ストップスイッチ50での検知を契機に送信されるストップ信号、をサブ制御手段500へ送信する。
【００８０】
また、送信手段270は、これらスイッチの検知に対応する信号に加え、メイン制御手段200において管理する遊技状態（例えば遊技中の状態であるか、非遊技中の状態であるか）を識別可能にするための遊技状態信号も、適宜のタイミングで送信する。
【００８１】
（サブ制御手段500）
サブ制御手段500は、図４に示すように、受信手段510、報知手段520の各手段を有する。各手段の詳細については後述する。
以上の構成をもって、サブ制御手段500は、メイン制御手段200からの信号を受けて、遊技の進行に伴う演出を行うものである。
【００８２】
具体的には、サブ制御手段500は、演出用ランプ78を駆動するためのＬＥＤ駆動回路（図示せず）に対してＬＥＤの点灯や消灯を規定するデータを出力したり、スピーカー72から音を出力するための音声出力回路（図示せず）に対して出力する音声を規定するデータを出力したり、表示部84を駆動するための液晶制御基板（図示せず）に対して出力する映像データを規定するデータを出力したりする。
【００８３】
（受信手段510）
受信手段510は、送信手段270からの信号を受信するものである。
【００８４】
（報知手段520）
報知手段520は、演出装置70を用いて種々の情報、具体的には、演出を遊技者に報知するためのものである。
この報知手段520は、役抽選の結果に基づく当選役に応じた演出、各遊技状態に応じた演出、各演出状態に応じた演出、又は押し順を報知するための演出等を遊技者に報知する。これらの演出は、それぞれ複数設けられており、報知手段520は、抽選により選択された演出やメイン制御手段200からの信号（コマンド）に対応する演出を演出装置70を用いて遊技者に報知する。
【００８５】
（図５を用いた遊技状態の説明）
次に、図５を用いて遊技状態について説明する。
遊技状態は、メイン制御手段200により管理され、図５に示すように、大別すると、ノーマル遊技状態、ボーナス内部中状態、ボーナス遊技状態がある。
【００８６】
（ノーマル遊技状態）
ノーマル遊技状態（ＮＯＭ）は、ノーマル遊技状態制御手段251により制御される。
ノーマル遊技状態におけるリプレイ役への当選確率は、通常（１／７．３）に設定されている。
【００８７】
ノーマル遊技状態における役抽選によりボーナス移行役に当選し、当該ボーナス移行役に対応する図柄組み合わせが有効ライン86上に停止表示されなかった場合に、ノーマル遊技状態からボーナス内部中状態へ移行し、停止表示された場合はボーナス遊技状態へ移行する。
【００８８】
（ボーナス内部中状態）
ボーナス内部中状態は、ボーナス内部中状態制御手段252により制御され、ノーマル遊技状態において、ボーナス移行役として、例えば、「ＣＢＢ１」、「ＣＢＢ２」に当選し、当該ボーナス移行役「ＣＢＢ１」、「ＣＢＢ２」に対応する図柄組み合わせが有効ライン86上に停止表示されなかった場合に移行する。
【００８９】
具体的には、ボーナス移行役「ＣＢＢ１」に当選した場合は「ＣＢＢ１Ｆ」に、ボーナス移行役「ＣＢＢ２」に当選した場合は「ＣＢＢ２Ｆ」に、それぞれ移行する。
ボーナス内部中状態におけるリプレイ役への当選確率は、ノーマル遊技状態よりも高く設定されている。
【００９０】
また、ボーナス内部中状態は、複数のボーナス遊技状態のそれぞれに対応して複数設けられる。
具体的には、ボーナス遊技状態「ＣＢＢ１Ｆ」からはボーナス遊技状態「ＣＢＢ１」に移行可能であり、ボーナス遊技状態「ＣＢＢ２Ｆ」からはボーナス遊技状態「ＣＢＢ２」に移行可能である。
【００９１】
（ボーナス遊技状態）
ボーナス遊技状態は、ボーナス遊技状態制御手段253により制御され、第１の実施形態では、ボーナス移行役として、例えば、「ＣＢＢ１」、「ＣＢＢ２」に当選し、当該ボーナス移行役「ＣＢＢ１」、「ＣＢＢ２」に対応する図柄組み合わせが有効ライン86上に停止表示された場合に移行する。
【００９２】
ボーナス遊技状態におけるリプレイ役への当選確率は、「０」に設定されている。
ボーナス遊技状態は、第１の実施形態では、ボーナス移行役「ＣＢＢ１」に当選した場合に移行可能な「ＣＢＢ１」に、ボーナス移行役「ＣＢＢ２」に当選した場合に移行可能な「ＣＢＢ２」が、それぞれ設けられている。
【００９３】
ここで、第１の実施形態では、「ＣＢＢ」は、規定枚数が２枚のみの所謂２枚賭けのみであり、所謂チャレンジボーナス（ＣＢ）が連続作動し、２００枚を超えるメダルの払い出しで終了する。
そして、「ＣＢＢ」の終了後は、ノーマル遊技状態（ＮＯＭ）に移行する。
【００９４】
なお、この「ＣＢＢ」における第２種特別役物としてのＣＢでは、抽選とは無関係に小役が成立（当選）している状態となる。また、当該ＣＢ中以外の他の遊技、例えばボーナス非当選状態では、全ての回転リール62は、ストップスイッチ50の停止操作タイミングから１９０ｍｓ以内に停止させなければならないのに対して、当該ＣＢ中では、左回転リール64のみ、ストップスイッチ50の停止操作タイミングから７５ｍｓ以内に停止させるように設定されている。なお、中回転リール66及び右回転リール68は、他の遊技と同様に停止操作タイミングから１９０ｍｓ以内の制限時間が設定されている。
【００９５】
（図６を用いた有利区間の説明）
図６に示すように、役抽選により予め定められた押し順でストップスイッチ50の操作がされた場合に入賞となる押し順役に当選した場合に、当該押し順を遊技者に報知不可能な「非有利区間」と、「非有利区間」から移行可能であり、役抽選により予め定められた押し順でストップスイッチ50の操作がされた場合に入賞となる押し順役に当選した場合に、当該押し順を遊技者に報知可能な「有利区間」とがある。
【００９６】
「非有利区間」は、「有利区間」を除いた区間であって、「非有利区間通常状態」を備える。
「非有利区間」から「有利区間」には、第１の実施形態では、役抽選により予め定められた役に当選した場合に「非有利区間」から「有利区間」への有利区間移行抽選がされ、当該有利区間移行抽選に当選することにより移行させる。
【００９７】
なお、第１の実施形態では、有利区間移行抽選の当選確率は、高確率に設定されており、非有利区間の数ゲームで有利区間へ移行するように設定されている。
また、「非有利区間」から「有利区間」へは、役抽選により予め定められた役に当選した場合に行われる有利区間移行抽選に当選することにより移行する場合に限定されず、役抽選により予め定められた役に当選した場合は有利区間移行抽選をすることなく有利区間へ移行するようにしてもよい。
【００９８】
（有利区間）
「有利区間」は、「非有利区間」よりも遊技者にとって有利な区間であって、「有利区間通常状態」、「ＡＴ状態」を備える。
なお、ここで、遊技者に有利な区間とは、例えば、非有利区間では、役抽選により予め定められた押し順でストップスイッチ50の操作がされた場合に入賞となる押し順役に当選した場合であっても、当該押し順を遊技者に報知することが不可能であった状態から可能な状態になったことや、非有利区間では実行されないＡＴ状態が実行されることなどから、遊技者に有利な区間となっている。
【００９９】
したがって、「有利区間」全体を通して遊技者にとって有利である必要はなく、「有利区間」の一部で遊技者にとって有利ではないことがあってもよい。
【０１００】
また、非有利区間から有利区間へ移行してから、有利区間を遊技可能な遊技区間の上限、第１の実施形態では、所定の上限ゲーム数、例えば１５００ゲームを消化した場合は、有利区間の上限ゲーム数に到達したとして、有利区間から非有利区間へ移行するようにしている。
【０１０１】
そのため、メイン制御手段200では、上限ゲーム数カウンタを備え、所定の上限ゲーム数（１５００ゲーム）に到達するか否か判定するため、有利区間へ移行した後の消化ゲーム数を計数している。
【０１０２】
また、非有利区間から有利区間へ移行した後、所定の上限ゲーム数（１５００ゲーム）を消化する前（有利区間の上限ゲーム数に到達する前）であっても、有利区間で投入されたメダルの数と払い出したメダルの数との差である差枚数が所定枚数に到達したとき（上限差枚数）には、これを契機に、上限ゲーム数を消化する前であっても、有利区間から非有利区間へ移行するようにしている。
【０１０３】
ここで、有利区間で投入されたメダルの数と払い出したメダルの数との差である差枚数は、例えば、有利区間で最もメダルが減った状態と有利区間で最もメダルが増えた状態との差によって求められる数、所謂ＭＹである。
そのため、メイン制御手段200では、所定枚数の差枚数（所謂ＭＹ２４００枚）に到達するか否か判定するため、有利区間へ移行した後の投入枚数と払出枚数とを計数している。
【０１０４】
（有利区間通常状態）
有利区間通常状態は、「有利区間」における「ＡＴ状態」等の特殊な状態を除いた状態である。
有利区間通常状態は、非有利区間の非有利区間通常状態を継続した状態となっており、非有利区間通常状態と同様の演出が行われる。つまり、非有利区間通常状態と有利区間通常状態との違いは、滞在している区間が「非有利区間」か「有利区間」かの違いとなっている。
【０１０５】
（ＡＴ状態）
「ＡＴ状態」は、有利区間通常状態より遊技者にとって有利な状態である。
当該「ＡＴ状態」に移行すると、所定の役の入賞をアシストするための報知演出として、当選した役の押し順が報知（押し順ナビ）される遊技（ＡＴ）が開始され、報知された押し順に従ってストップスイッチ50を操作することで、当選した小役やリプレイ役の図柄61の組み合わせを停止表示させることができる。このため、成立した小役に対応する所定枚数のメダルが払い出される。
【０１０６】
「ＡＴ状態」は、上述したＡＴ移行抽選に当選することで移行してくる状態である。
また、「ＡＴ状態」へは、非有利区間から有利区間へ移行後、計数が開始されるゲーム数が、上述した天井ゲーム数抽選により決定されたゲーム数（６６６ゲームなど）に到達すること（所謂天井）によっても移行してくるようにしている。
【０１０７】
そして、「ＡＴ状態」の終了後、非有利区間通常状態へ移行する。
なお、「有利区間」は、有利区間通常状態やＡＴ状態に限定されず、ＡＴ状態などへの移行を示唆する前兆演出が実行される前兆状態や、ＡＴ状態などに高確率で移行可能なチャンスゾーン状態、ＡＴ状態の遊技区間を上乗せ可能な上乗せ状態などの状態を備えてもよい。
【０１０８】
（図７を用いた遊技の基本的な流れの説明）
図７に示すフローチャートに基づいて、メイン制御手段200が１ゲーム毎に実行する一般的な遊技制御処理について説明する。
ステップS10において、メイン制御手段200により、スタートスイッチ40の操作があったか否かの判定が行われる。ここで、スタートスイッチ40の操作があったと判定されると、賭け数の設定が不可能な状態とされる。その後、次のステップS11に進む。一方、スタートスイッチ40の操作がないと判定されると、再度ステップS10となる。
【０１０９】
なお、このステップS10の前提として、賭け数設定処理が行われている。この賭け数設定処理では、賭け数として規定の賭け数（３枚又は２枚）が設定されたか否かが判定されるものである。具体的には、メイン制御手段200により、当該ゲームの賭け数として設定されているメダルの枚数が規定の賭け数（３枚又は２枚）に達しているか否かの判定が行われる。
【０１１０】
ステップS11において、役抽選手段210により、役抽選処理が行われる。また、このとき、役抽選の結果がメイン制御手段200からサブ制御手段500へ送信される。役抽選処理が終了すると、次のステップS12に進む。
【０１１１】
ステップS12において、リールユニット60における回転リール62の回転変動処理が行われる。回転リール62が所定の回転速度に達した後、回転中の回転リール62に対応するストップスイッチ50の操作があった場合に、リール制御手段220により、各回転リール62の回転が停止させられる。このときのストップスイッチ50（左ストップスイッチＬ、中ストップスイッチＣ、右ストップスイッチＲ）の当選役に対応する押し順は、メイン制御手段200に形成された所定の記憶領域に記憶されると共に、その後の処理にて読み出される。
【０１１２】
また、全ての停止操作終了後、メイン制御手段200からサブ制御手段500へ全回転リール62の回転停止情報が送信される。そして、全ての回転リール62の回転変動処理が終了すると、次のステップS13に進む。
【０１１３】
ステップS13において、停止図柄判定手段230により、有効ライン86上の図柄61の組合せに対して所定の役の図柄61の組合せが揃っているか否かの停止図柄判定処理が行われる。ここで、入賞等の判定処理の判定結果のデータは、メイン制御手段200からサブ制御手段500へ送信される。そして、判定処理が終わると、次のステップS14に進む。
【０１１４】
ステップS14において、配当付与手段240により、停止図柄判定手段230の判定結果に対応した払出処理等が行われる。なお、判定の結果、払出が不要な場合には、払出処理は行われない。そして、当該処理を終了する。
【０１１５】
図８は、第１の実施形態におけるメイン基板202の概略正面図である。
図８に示すように、メイン基板202の一方面には、外部接続用の複数のコネクタ、ＣＰＵ、ＲＯＭ、ＲＡＭ等のチップ部品、及びモニターランプ140が搭載されている。
【０１１６】
モニターランプ140は、メイン基板202の素子搭載領域204に搭載され、遊技機10の各種部品の状態を示すものである。このモニターランプ140は、各種部品に対応する複数のＬＥＤランプ（以下、単に「ランプ145」とする）から構成されている。なお、モニターランプ140は「複数の発光素子」の一例であり、ランプ145は「発光素子」の一例である。
【０１１７】
ここで、モニターランプ140は、各種部品に対応して設けられたセンサの状態変化を検知した場合に点灯又は消灯することにより各種部品の動作状態を報知する、ともいえる。例えば、モニターランプ140は、スタートスイッチ40が傾倒したことをスタートスイッチ40に対応して設けられたスタートスイッチセンサが検知すると、スタートスイッチセンサに対応するランプ145を点灯させて、スタートスイッチ40が操作されたことを報知する。このようにセンサに対応するランプ145を設けることにより、例えば、スタートスイッチ40を傾倒させたにも関わらず対応するランプ145が点灯しない場合に、コネクタの脱抜、ショートの発生、又はスタートスイッチセンサに対する不正行為が行われた等の異常状態であることを容易に認識することができる。
【０１１８】
素子搭載領域204とは、メイン基板202においてモニターランプ140を搭載するための領域である。また、素子搭載領域204は、メイン基板202の左端側の領域とされている。なお、素子搭載領域204をメイン基板202の左端側の領域としたが、当該領域の位置は限定されず、メイン基板202上の任意の位置の領域を素子搭載領域204とすることができる。そして、素子搭載領域204は、オーバーフローセンサ96の状態を示すランプ145と、後述する特定ランプとを囲んだ領域とされている。
【０１１９】
図９は、第１の実施形態におけるモニターランプ140の模式図である。
【０１２０】
図９に示すように、第１の実施形態におけるモニターランプ140は、２３個のランプ145から構成されている。なお、以下では、図９に示すモニターランプ140の上下方向（縦）の並びを「行」と記載し、左右方向（横）の並びを「列」と記載する。そして、「行」は９行設けられ、「列」は３列設けられている。このとき、上端の行を「１行目」と記載し、下端の行を「９行目」と記載する。また、左端の列を「１列目」と記載し、右端の列を「３列目」と記載する。
【０１２１】
そして、メイン基板202のうち各ランプ145の近傍（左側）には、モニターランプ140の各々のランプ145を識別するランプ識別子が記されている。第１の実施形態では、ランプ識別子としてアルファベットが記されている。以下では、ランプ識別子の右側に位置するランプ145について、当該ランプ識別子をランプ145の末尾に付して記載する。例えば、ランプ識別子「Ａ」の右側に位置するランプ145を「ランプＡ」と記載する。
【０１２２】
ここで、１列目は、１行目に「ランプＡ」、２行目に「ランプＢ」、３行目に「ランプＣ」、４行目に「ランプＤ」、５行目に「ランプＥ」、６行目に「ランプＦ」、７行目に「ランプＧ」、８行目に「ランプＨ」、９行目に「ランプＩ」が配置されている。
【０１２３】
また、２列目は、１行目に「ランプＪ」、２行目に「ランプＭ」、３行目に「ランプＫ」、４行目に「ランプＬ」、５行目に「ランプＮ」、６行目に「ランプＯ」、７行目に「ランプＰ」、８行目に「ランプＱ」、９行目に「ランプＲ」が配置されている。
【０１２４】
また、３列目は、１行目に「ランプＳ」、２行目に「ランプＴ」、３行目に「ランプＵ」、４行目に「ランプＷ」、９行目に「ランプＶ」が配置されている。このとき、３列目の５行目から８行目の領域には、ランプ145が配置されていない。
【０１２５】
図９に示すように、第１の実施形態における素子搭載領域204は、端部に配置されたランプ145であるランプＡ、Ｓ、Ｉ、Ｖを囲んで形成される領域とされている。そして、図８及び図９では、一点鎖線で囲まれた領域を素子搭載領域204として示している。
【０１２６】
素子搭載領域204は、第１領域206と、第１領域206以外の領域であって、第１領域206よりも狭い第２領域208とが設けられている。「第１領域206以外の領域」とは、第１領域206として定義された領域の内側に第２領域208が存在しないこと、すなわち、第１領域206として定義された領域の外側に第２領域208が存在することを意味する。「第１領域206よりも狭い」とは、素子搭載領域204に占める面積が第１領域206よりも小さいことを意味する。
【０１２７】
第２領域208とは、素子搭載領域204の端部に配置されたランプ145のうち、隣接するランプ145の数が最少となるランプ145を囲んで形成される領域である。ここで、「隣接するランプ145」とは、上下方向、左右方向、又は斜め方向において近接するランプ145を意味する。なお、一のランプ145と少し離れた位置（例：２行以上、２列以上離れた位置）にある他のランプ145とは、上記の「隣接するランプ145」には含まれない。図９に示すように、第１の実施形態におけるモニターランプ140のうち、素子搭載領域204の端部に配置されたランプ145は、１列目の１行目の「ランプＡ」、３列目の１行目の「ランプＳ」、１列目の９行目の「ランプＩ」、３列目の９行目の「ランプＶ」である。換言すると、ランプＡは素子搭載領域204の上端かつ左端に配置され、ランプＳは素子搭載領域204の上端かつ右端に配置され、ランプＩは素子搭載領域204の下端かつ左端に配置され、ランプＶは素子搭載領域204の下端かつ右端に配置されている。
【０１２８】
そして、ランプＡに隣接するランプ145は、ランプＢ、ランプＪ及びランプＭの「３つ」であり、ランプＳに隣接するランプ145は、ランプＪ、ランプＭ及びランプＴの「３つ」であり、ランプＩに隣接するランプ145は、ランプＨ、ランプＱ及びランプＲの「３つ」であり、ランプＶに隣接するランプ145は、ランプＲ及びランプＱの「２つ」である。したがって、第１の実施形態において、隣接するランプ145の数が最少となるランプ145は「ランプＶ」である。
【０１２９】
そのため、第１の実施形態における第２領域208は、ランプＶを囲んで形成される素子搭載領域204の下端かつ右端の領域とされている。そして、図９では、破線で囲まれた領域を第２領域208として示している。つまり、素子搭載領域204のうち、破線で囲まれていない領域が第１領域206であり、破線で囲まれた領域が第２領域208である。
【０１３０】
図１０は、第１の実施形態における説明資料の一例である。この説明資料は、各種部品の確認（点検）を行う際に遊技店の店員が参照する資料である。
図１０に示すように、説明資料には、ランプ識別子と、ランプ識別子に対応する各種部品と、各種部品に対応するランプ145の点灯タイミングと、各種部品に対応するランプ145の異常時の動作例と、が記載されている。
【０１３１】
以下、第１の実施形態におけるランプ識別子に対応する各種部品を記載する。
ランプＡは「精算スイッチ36」に対応するランプ145である。
ランプＢは「設定変更スイッチ46」に対応するランプ145である。
ランプＣは「解除センサ77」に対応するランプ145である。
【０１３２】
ランプＤは「自動解除スイッチ」に対応するランプ145である。自動解除スイッチとは、特定の契機に自動精算処理（クレジットメダルを遊技者の操作によらず精算（返却）する処理）に制御する自動精算機能の有効又は無効を選択するためスイッチである。
ランプＥは「スタートスイッチ40」に対応するランプ145である。
ランプＦは「マックスベットスイッチ34」に対応するランプ145である。
ランプＧは「左ストップスイッチＬ」に対応するランプ145である。
【０１３３】
ランプＨは「中ストップスイッチＣ」に対応するランプ145である。
ランプＩは「右ストップスイッチＲ」に対応するランプ145である。
ランプＪは「シングルベットスイッチ35」に対応するランプ145である。
ランプＫは「セレクターセンサＡ」に対応するランプ145である。
ランプＬは「セレクターセンサＢ」に対応するランプ145である。
ランプＭは「セレクターセンサＣ」に対応するランプ145である。
ランプＮは「払出センサＡ」に対応するランプ145である。
【０１３４】
ランプＯは「払出センサＢ」に対応するランプ145である。
ランプＰは「左回転リールセンサ」に対応するランプ145である。
ランプＱは「中回転リールセンサ」に対応するランプ145である。
ランプＲは「右回転リールセンサ」に対応するランプ145である。
ランプＳは「扉開閉用スイッチ19」に対応するランプ145である。
ランプＴ及びランプＵは「設定キースイッチ45」に対応するランプ145である。
【０１３５】
ランプＶは「オーバーフローセンサ96」に対応するランプ145である。
ランプＷは「電源スイッチ44」に対応するランプ145である。
なお、以下では、モニターランプ140の各々のランプ145のうち、オーバーフローセンサ96以外の各種部品の状態を示すランプ145（ランプＡからランプＵ及びランプＷ）を総称して「特定ランプ」と記載することがある。特定ランプは「特定素子」の一例である。そして、特定ランプは、隣接するランプ145を１つ以上有するランプ145とされている。そのため、例えば、特定ランプであるランプＡから左に２列以上離れた位置に他のランプ145が配置されている場合には、当該他のランプ145は「特定ランプ」に該当しないこととなる。
【０１３６】
次に、各ランプ145の正常時における点灯タイミングを説明する。
ランプＡからランプＳまでは、各ランプ145に対応する各種部品の操作時又は動作時に随時点灯する。つまり、ランプＡからランプＳまでは、各ランプ145に対応する各種部品の操作中又は動作中に点灯し、これらの操作又は動作を終了した場合に消灯する。
【０１３７】
例えば、各種部品としての各種センサ（例：解除センサ77、セレクターセンサ92、リール位置センサ63、払出センサ94等）は、発光部及び受光部を備えており、例えば、セレクターセンサ92の場合、メダルがセレクターセンサ92を通過中に発光部からの光が遮断されるよう構成されている。そして、発光部からの光を受光部が受光している、すなわち、メダルで光が遮断されていない状態（各種センサの動作時以外の状態）では、セレクターセンサ92に対応する「ランプＫ、Ｌ、Ｍ」が消灯し、受光していない、すなわち、メダルで光が遮断されている状態（各種センサの動作時）では、セレクターセンサ92に対応する「ランプＫ、Ｌ、Ｍ」が点灯する。また、リール位置センサ63の場合は、突起片（図示せず）で発光部からの光が遮断されている状態において、リール位置センサ63の各々に対応する「ランプＰ、Ｑ、Ｒ」が点灯する。
【０１３８】
また、各種部品としての各種スイッチ（例：精算スイッチ36、設定変更スイッチ46等）は、当該各種スイッチの操作を検知する検知センサに接続されている。この検知センサは、発光部及び受光部を備えており、例えば、各種スイッチをシングルベットスイッチ35とした場合、シングルベットスイッチ35が操作されると、当該操作により移動する部材が発光部からの光を遮るように構成されている。そして、発光部からの光を受光部が受光している、すなわち、シングルベットスイッチ35が操作されていない状態（各種部品の操作時以外の状態）では、シングルベットスイッチ35に対応する「ランプＪ」が消灯し、受光していない、すなわち、シングルベットスイッチ35が操作されている状態（各種部品の操作時）では、シングルベットスイッチ35に対応する「ランプＪ」が点灯する。
【０１３９】
そのため、例えば、セレクターセンサ92に対応する「ランプＫ、Ｌ、Ｍ」が、メダル投入口38から投入されたメダルがセレクターセンサ92を通過中ではない状態（メダルにより発光部からの光が遮断されていない状態）で点灯している場合には、セレクターセンサ92の状態が「異常」であることを示している。
【０１４０】
なお、上記では、受光部が発光部からの光を受光している状態では消灯とし、受光していない状態では点灯としたが、これと逆の構成としてもよいし、センサ毎に構成を変えてもよい。
【０１４１】
設定キースイッチ45に対応するランプＴは、設定キーを設定キースイッチ45の図示しない差込孔に差し込んだ状態で設定キーが所定方向に回転されたＯＮ状態であることを検知した場合に点灯し、ＯＮ状態であることを検知していない、すなわち、ＯＦＦ状態である場合に消灯する。
また、設定キースイッチ45に対応するランプＵは、ＯＦＦ状態である場合に点灯し、ＯＮ状態である場合に消灯する。このとき、設定キースイッチ45に対応して設けられたスイッチ（センサ）は、切替接点（Ｃ接点ともいう）による接点構成としてもよいし、常開接点や常閉接点（Ａ接点やＢ接点ともいう）による接点構成としてもよい。
【０１４２】
このように設定キースイッチ45の状態は、ランプＴ及びランプＵの２つのランプ145を用いて示される。
【０１４３】
オーバーフローセンサ96に対応するランプＶは、メダルを貯蔵可能な補助タンクに所定量のメダルが貯蔵された場合に点灯する。なお、オーバーフローセンサ96は「補助タンクセンサ」の一例であり、ランプＶは「補助タンク用素子」の一例である。ここで、オーバーフローセンサ96は、補助タンク内の上方部分に位置するように筐体12に取り付けられた２本の棒状センサにより構成されている。そして、オーバーフローセンサ96は、導電性のメダルが補助タンク内に所定量貯蔵されて２本の棒状センサの間に介在した場合に導通し、これにより補助タンク内のメダルが所定量（満杯）になったことを検知する。
【０１４４】
電源スイッチ44に対応するランプＷは、電源スイッチ44に対する電源投入のための操作が行われ、電源がＯＮとなっている場合は常時点灯する。つまり、ランプＷは、電源がＯＮとなっている場合に点灯し、電源スイッチ44に対する電源遮断のための操作が行われ、電源がＯＦＦとなった場合に消灯する。
【０１４５】
ここで、ランプＡからランプＶまでの随時点灯するランプ145と、ランプＷの常時点灯するランプ145とでは、発光色を異ならせている。第１の実施形態では、ランプＡからランプＶまでの発光色を「赤色」とし、ランプＷの発光色を「緑色」としている。また、同じ特定ランプの中でもランプＡからランプＵまでと発光色が異なるランプＷは、第１領域206において、ランプＡからランプＵまでと入り乱れない位置に配置されている。換言すると、ランプＷは、第１領域206の端部（角部）に配置されている。これにより、常時点灯するランプ145なのか随時点灯するランプ145なのかが一見して判別可能となるため、効率的に確認作業を行うことができる。
【０１４６】
次に、各ランプ145の異常時における動作例を説明する。
異常時とは、各種部品において、正常な状態とは異なる異常な状態が発生している状態であり、例えば、各種部品が故障している状態である。
【０１４７】
ランプＡからランプＶまでは、各種部品の操作又は動作が行われていなくとも常時点灯する。つまり、ランプＡからランプＶまでは各種部品の操作又は動作が行われていなくとも常時点灯する異常な点灯態様となるため、これに遊技店の店員が気付くことにより各種部品が故障していることが把握される。
【０１４８】
電源スイッチ44に対応するランプＷは、電源スイッチ44に対する電源投入のための操作が行われ、電源がＯＮとなっている場合でもランプ145が点灯しない、すなわち、ランプ145が消灯した状態となる。つまり、ランプＷは電源がＯＮとなっている場合でもランプ145が点灯しない異常な点灯態様となるため、これに遊技店の店員が気付くことにより各種部品が故障していることが把握される。
【０１４９】
次に、モニターランプ140の各々のランプ145の素子搭載領域204における特徴的な配置について説明する。
図９に示すように、モニターランプ140の各々のランプ145のうち、特定ランプ（ランプＡからランプＵ及びランプＷ）は第１領域206に配置され、オーバーフローセンサ96に対応するランプＶは第２領域208に配置されている。また、ランプＶは、素子搭載領域204において、特定ランプと区別された位置に配置されている、ともいえる。
さらに、ランプＶは、素子搭載領域204において、隣接するランプ145の数が最少となる位置に配置されている、ともいえる。具体的には、第１の実施形態では、上記のように、ランプＶに隣接するランプ145は、ランプＲ及びランプＱの「２つ」であり、素子搭載領域204において最少となっている。
【０１５０】
また、セレクターセンサＡの状態を示すランプＫ、セレクターセンサＢの状態を示すランプＬ、セレクターセンサＣの状態を示すランプＭは、素子搭載領域204において、上下方向に沿って連続して配置されている。
【０１５１】
そして、上下方向におけるランプＫ、ランプＬ、及びランプＭの配置順は、メイン基板202に記されたランプ識別子の昇順又は降順の何れにも対応せず、メダルに関する検知を行う順序に対応している。
【０１５２】
ここで、第１の実施形態におけるランプ識別子はアルファベットであるため、昇順であれば上下方向においてランプＫ→ランプＬ→ランプＭの順に配置され、降順であれば上下方向においてランプＭ→ランプＬ→ランプＫの順に配置されることとなる。
【０１５３】
しかし、第１の実施形態では、セレクターセンサＣ→セレクターセンサＡ→セレクターセンサＢの検知順に対応して、上方から下方に向かって、セレクターセンサＣの状態を示すランプＭ→セレクターセンサＡの状態を示すランプＫ→セレクターセンサＢの状態を示すランプＬの順に配置されている。
【０１５４】
また、左ストップスイッチＬに対応するランプＧ、中ストップスイッチＣに対応するランプＨ、及び右ストップスイッチＲに対応するランプＩと、左回転リールセンサに対応するランプＰ、中回転リールセンサに対応するランプＱ、及び右回転リールセンサに対応するランプＲとは、各々のランプ145が左右に隣接している。つまり、ランプＧとランプＰ、ランプＨとランプＱ、及びランプＩとランプＲが左右に隣接している。
【０１５５】
このような配置により、種別が異なる各種部品である回転リール62とストップスイッチ50とを対応付けて纏めて確認することができるとともに、種別が同じ一連の各種部品を連続して確認することができるため、効率的に確認作業を行うことができる。
【０１５６】
また、自動解除スイッチに対応するランプＤは、素子搭載領域204において第１領域206に配置されている。
近年、自動精算機能を搭載しない機種があるため、自動解除スイッチに対応するランプ145を搭載する必要がない場合もあるが、ハード面での汎用性を考慮して自動解除スイッチ及びこれに対応するランプ145を搭載する機種もある。このとき、自動解除スイッチ及び自動精算機能が搭載されているが、遊技店の方針で自動精算機能を無効にする場合もある。そして、この場合において、遊技店の店員が清掃等の際に意図せず自動解除スイッチに触れてしまい自動精算機能が有効になってしまうことも考えられるため、第１の実施形態では、自動解除スイッチに対応するランプＤを第２領域208ではなく、遊技店の設備に関わらず確認作業の対象となる第１領域206に配置している。
【０１５７】
（作用効果）
ホッパーユニット24のメダルタンクから溢れたメダルを貯蔵可能な補助タンクの底壁部にはメダルの排出口が形成されており、この排出口は開閉蓋により開閉できるようになっている。また、このメダルの排出口に対応する筐体12の底壁部には、メダルが下方に落下可能な開口部が形成されている。そして、オーバーフローセンサ96に対応するランプＶは、補助タンクに所定量のメダルが貯蔵された場合に点灯することで、オーバーフローセンサ96の状態を示すこととなっている。
【０１５８】
そのため、第１の実施形態に係る遊技機10がメダルの自動回収装置を備える遊技店に設置された場合は、開閉蓋を開放することで排出口から自動回収装置にメダルが落下することとなるため、補助タンクに所定量のメダルが貯蔵されない状況が存在する。したがって、第１の実施形態に係る遊技機10がメダルの自動回収装置を備える遊技店に設置された場合は、オーバーフローセンサ96に対応するランプＶの点灯により補助タンクに所定量のメダルが貯蔵されたことを示す必要がないことがある。
【０１５９】
そして、第１の実施形態では、オーバーフローセンサ96以外の各種部品の状態を示す特定ランプは第１領域212に配置され、オーバーフローセンサ96の状態を示すランプＶは第２領域208に配置されている。つまり、第１の実施形態は、特定ランプとランプＶとの配置領域が分かれている。
【０１６０】
したがって、第１の実施形態によれば、遊技店の設備次第で確認することが不要となるランプＶを素子搭載領域204の端部に設けられた第２領域208に配置することで、作業時に素子搭載領域204のうち第１領域206に配置された特定ランプのみを確認すれば足りるとともに、ランプＶの存在により特定ランプの確認作業を妨げることが抑制される。例えば、第２領域208を素子搭載領域204の中央に設け、確認不要なランプＶを特定ランプで囲んだ場合には、ランプＶが邪魔となり、確認作業を妨げることが想定されるが、第１の実施形態によればこの事態が抑制される。
【０１６１】
以上、第１の実施形態によれば、各スイッチ類やセンサ類等の各種部品の確認を容易に行えるようモニターランプ140が配置された遊技機10を提供することができる。
【０１６２】
また、第１の実施形態では、セレクターセンサＡの状態を示すランプＫ、セレクターセンサＢの状態を示すランプＬ、セレクターセンサＣの状態を示すランプＭは、素子搭載領域204において、上下方向に沿って連続して配置されている。そして、上下方向におけるランプＫ、ランプＬ、及びランプＭの配置順は、メイン基板202に記されたランプ識別子の昇順又は降順の何れにも対応せず、メダルに関する検知を行う順序に対応している。
【０１６３】
これにより、第１の実施形態によれば、メダルが所定の流路（メダル通路）を通過する際に上下方向の一方側から他方側に目を向けることで、メダルに関する検知を行う順序に合わせてランプＫ、ランプＬ、及びランプＭを効率良く確認できる。さらに、第１の実施形態によれば、メダルに関する検知を行う順序に配置することで、ランプ識別子の昇順又は降順に配置した場合に比べて、センサの数が増え、これに伴いランプ145が増えたとしても、効率よく確認作業が行える。
【０１６４】
また、第１の実施形態では、設定キースイッチ45のＯＮ状態を検知した場合に点灯し、ＯＮ状態を検知していない場合に消灯することで設定キースイッチ45の状態を示すランプＴと、ＯＮ状態を検知していない場合に点灯し、ＯＮ状態を検知した場合に消灯することで設定キースイッチ45の状態を示すランプＵと、が設けられている。つまり、第１の実施形態では、設定キースイッチ45の状態を２つのランプ145で示している。これにより、第１の実施形態によれば、設定キースイッチ45のＯＮ状態及びＯＦＦ状態で一方のランプ145が点灯できるため、ランプＴ又はランプＵの一方が故障したとしても他方のランプ145により設定キースイッチ45の状態を示すことができる。
【０１６５】
設定値に関わる設定キースイッチ45のような遊技店（管理者）側にとっての重要度が高い各種部品については、ＯＮ状態又はＯＦＦ状態の何れであっても設定キースイッチ45の状態を確認可能とすることで、遊技店が不利益を被ることを抑制することが望ましい。ただし、全ての各種部品の状態を２つのランプ145を用いて確認可能とすると、確認作業が煩雑化したり、ランプ145の配置スペースの問題やランプ145の数が増えることによるコストの問題が生じたりするため、設定キースイッチ45のような遊技店（管理者）側にとっての重要度が高い各種部品についてのみ行うことが望ましい。
【０１６６】
（第２の実施形態）
次に、第２の実施形態について他の実施形態との重複部分を省略又は簡略しつつ説明する。
第２の実施形態におけるモニターランプ140は、２３個のランプ145から構成されていた第１の実施形態よりもランプ145の数が少なくなっている。なお、ランプ145の数は限定されず、第１の実施形態より多くてもよい。
【０１６７】
図１１及び図１２に示すように、第２の実施形態におけるモニターランプ140は、１８個のランプ145から構成されている。そして、第２の実施形態では、「行」が５行設けられ、「列」が４列設けられている。
また、第２の実施形態では、ランプ識別子として数字が記されている。以下では、ランプ識別子の右側に位置するランプ145について、当該ランプ識別子をランプ145の末尾に付して記載する。例えば、ランプ識別子「1」の右側に位置するランプ145を「ランプ（1）」と記載する。
【０１６８】
ここで、１列目は、１行目に「ランプ（18）」、２行目に「ランプ（10）」、３行目に「ランプ（7）」、４行目に「ランプ（4）」、５行目に「ランプ（１）」が配置されている。
また、２列目は、２行目に「ランプ（11）」、３行目に「ランプ（8）」、４行目に「ランプ（5）」、５行目に「ランプ（2）」が配置されている。このとき、２列目の１行目の領域には、ランプ145が配置されていない。
【０１６９】
また、３列目は、２行目に「ランプ（15）」、３行目に「ランプ（9）」、４行目に「ランプ（6）」、５行目に「ランプ（3）」が配置されている。このとき、３列目の１行目の領域には、ランプ145が配置されていない。
また、４列目は、１行目に「ランプ（16）」、２行目に「ランプ（13）」、３行目に「ランプ（12）」、４行目に「ランプ（14）」、５行目に「ランプ（17）」が配置されている。
【０１７０】
図１１及び図１２に示すように、第２の実施形態における素子搭載領域204は、端部に配置されたランプ145であるランプ（18）、（16）、（1）、（17）を囲んで形成される領域とされている。
【０１７１】
第２領域208とは、第１の実施形態と同様、素子搭載領域204の端部に配置されたランプ145のうち、隣接するランプ145の数が最少となるランプ145を囲んで形成される領域である。このとき、隣接するランプ145の数が最少となるランプ145が複数ある場合には、何れかのランプ145を囲んで形成される領域が第２領域208となる。
【０１７２】
図１２に示すように、第２の実施形態におけるモニターランプ140のうち、素子搭載領域204の端部に配置されたランプ145は、１列目の１行目の「ランプ（18）」、４列目の１行目の「ランプ（16）」、１列目の５行目の「ランプ（1）」、４列目の５行目の「ランプ（17）」である。
【０１７３】
そして、ランプ（18）に隣接するランプ145は、ランプ（10）及びランプ（11）の「２つ」であり、ランプ（16）に隣接するランプ145は、ランプ（13）及びランプ（15）の「２つ」であり、ランプ（1）に隣接するランプ145は、ランプ（4）、ランプ（5）及びランプ（2）の「３つ」であり、ランプ（17）に隣接するランプ145は、ランプ（3）、ランプ（6）及びランプ（14）の「３つ」である。したがって、第２の実施形態において、隣接するランプ145の数が最少となるランプ145は「ランプ（18）」又は「ランプ（16）」である。
【０１７４】
このとき、第２の実施形態では、ランプ（16）を囲んで形成される素子搭載領域204の上端かつ右端の領域を第２領域208としている。これにより、素子搭載領域204のうち、破線で囲まれていない領域が第１領域206となり、破線で囲まれた領域が第２領域208となる。
【０１７５】
図１３は、第２の実施形態における説明資料の一例である。以下、第２の実施形態におけるランプ識別子に対応する各種部品を記載する。
ランプ（1）は「左回転リールセンサ」に対応するランプ145である。
ランプ（2）は「中回転リールセンサ」に対応するランプ145である。
ランプ（3）は「右回転リールセンサ」に対応するランプ145である。
ランプ（4）は「左ストップスイッチＬ」に対応するランプ145である。
ランプ（5）は「中ストップスイッチＣ」に対応するランプ145である。
【０１７６】
ランプ（6）は「右ストップスイッチＲ」に対応するランプ145である。
ランプ（7）は「マックスベットスイッチ34」に対応するランプ145である。
ランプ（8）は「スタートスイッチ40」に対応するランプ145である。
ランプ（9）は「精算スイッチ36」に対応するランプ145である。
ランプ（10）は「扉開閉用スイッチ19」に対応するランプ145である。
ランプ（11）は「払出センサ94」に対応するランプ145である。
ランプ（12）は「セレクターセンサＡ」に対応するランプ145である。
【０１７７】
ランプ（13）は「セレクターセンサＢ」に対応するランプ145である。
ランプ（14）は「セレクターセンサＣ」に対応するランプ145である。
ランプ（15）は「解除センサ77」に対応するランプ145である。
ランプ（16）は「オーバーフローセンサ96」に対応するランプ145である。なお、ランプ（16）は「補助タンク用素子」の一例である。
ランプ（17）は「設定キースイッチ45」に対応するランプ145である。
ランプ（18）は「電源スイッチ44」に対応するランプ145である。
【０１７８】
ここで、図１３に示すランプ（1）からランプ（18）までのモニターランプ140は、最大の数字がランプ識別子として割り当てられた第１グループと、第１グループに割り当てられた以外の連続する数字がランプ識別子として割り当てられた第２グループとに区分することができる。このように区分すると、第１グループはランプ識別子「18」に対応するランプ（18）から構成され、第２グループはランプ識別子「1」から「17」に対応するランプ（1）から（17）から構成されることとなる。
【０１７９】
そして、第２グループを構成するランプ（1）から（17）は、当該ランプ145に対応する各種部品の正常時及び異常時における点灯状態が共通する。点灯状態には、ランプ145が点灯又は消灯する契機（タイミング）、及び点灯時の発光態様（随時点灯又は常時点灯）を含む。
【０１８０】
ランプ（1）からランプ（17）までは、正常時において、各ランプ145に対応する各種部品の操作時又は動作時に随時点灯し、各ランプ145に対応する各種部品の操作又は動作を終了した場合に消灯する点で点灯状態が共通する。
さらに、ランプ（1）からランプ（17）までは、異常時において、各種部品の操作又は動作が行われていなくとも常時点灯する点で点灯状態が共通する。このとき、ランプ（1）からランプ（17）までは、各種部品の操作又は動作が行われていなくとも常時点灯している場合に異常時であることを示す、ともいえる。
【０１８１】
一方、第１グループを構成するランプ（18）と第２グループを構成するランプ（1）から（17）とは、当該ランプ145に対応する各種部品の正常時及び異常時における点灯状態が異なる。
【０１８２】
ランプ（18）は、正常時において、電源スイッチ44に対する電源投入のための操作が行われ、電源がＯＮとなっている場合は常時点灯する。そのため、ランプ（18）は、点灯時の発光態様が「随時点灯」であるランプ（1）から（17）と正常時における点灯状態が異なっている。
【０１８３】
また、ランプ（18）は、正常時において、電源スイッチ44に対する電源遮断のための操作が行われ、電源がＯＦＦとなった場合に消灯する。そのため、消灯時に電源遮断のための操作が必要なランプ（18）は、各ランプ145に対応する各種部品の操作又は動作を終了した場合に消灯するランプ（1）から（17）と正常時における点灯状態が異なっている。
【０１８４】
また、ランプ（18）は、異常時において、電源スイッチ44に対する電源投入のための操作が行われ、電源がＯＮとなっている場合でも消灯する。すなわち、ランプ（18）は、電源がＯＮとなっている、又は電源スイッチ44に対する電源投入のための操作が行われている場合に消灯しているときに異常時であることを示す、ともいえる。そのため、異常発生時に消灯するランプ（18）は、異常時において各種部品の操作又は動作が行われていなくとも常時点灯するランプ（1）から（17）と異常時における点灯状態が異なっている。
【０１８５】
次に、モニターランプ140の各々のランプ145の素子搭載領域204における特徴的な配置について説明する。
図１２に示すように、モニターランプ140の各々のランプ145のうち、特定ランプ（ランプ（1）からランプ（15）、ランプ（17）、及びランプ（18））は第１領域206に配置され、オーバーフローセンサ96に対応するランプ（16）は第２領域208に配置されている。また、ランプ（16）は、素子搭載領域204において、特定ランプと区別された位置に配置されている、ともいえる。
さらに、ランプ（16）は、素子搭載領域204において、隣接するランプ145の数が最少となる位置に配置されている、ともいえる。具体的には、第２の実施形態では、上記のように、ランプ（16）に隣接するランプ145は、ランプ（13）及びランプ（15）の「２つ」であり、素子搭載領域204において最少となっている。
【０１８６】
また、セレクターセンサＡの状態を示すランプ（12）、セレクターセンサＢの状態を示すランプ（13）、セレクターセンサＣの状態を示すランプ（14）は、素子搭載領域204において、上下方向に沿って連続して配置されている。
【０１８７】
そして、上下方向におけるランプ（12）、ランプ（13）、及びランプ（14）の配置順は、メイン基板202に記されたランプ識別子の昇順又は降順の何れにも対応せず、メダルに関する検知を行う順序に対応している。
【０１８８】
具体的には、第２の実施形態では、セレクターセンサＣ→セレクターセンサＡ→セレクターセンサＢの検知順に対応して、下方から上方に向かって、セレクターセンサＣの状態を示すランプ（14）→セレクターセンサＡの状態を示すランプ（12）→セレクターセンサＢの状態を示すランプ（13）の順に配置されている。
【０１８９】
また、左回転リールセンサに対応するランプ（1）、中回転リールセンサに対応するランプ（2）、及び右回転リールセンサに対応するランプ（3）と、左ストップスイッチＬに対応するランプ（4）、中ストップスイッチＣに対応するランプ（5）、及び右ストップスイッチＲに対応するランプ（6）とは、各々のランプ145が上下に隣接している。つまり、ランプ（1）とランプ（4）、ランプ（2）とランプ（5）、及びランプ（3）とランプ（6）が上下に隣接している。
【０１９０】
さらに、ランプ（1）、ランプ（2）、及びランプ（3）の左右方向の並び順は、前扉14の外面を正面視した場合における左回転リール64、中回転リール66、及び右回転リール68の左右方向の並び順と同じ順序で配置されている。つまり、ランプ（1）、ランプ（2）、及びランプ（3）は、左から順に、ランプ（1）→ランプ（2）→及びランプ（3）の順序で配置されている。同様に、ランプ（4）、ランプ（5）、及びランプ（6）の左右方向の並び順は、前扉14の外面を正面視した場合における左ストップスイッチＬ、中ストップスイッチＣ、及び右ストップスイッチＲの左右方向の並び順と同じ順序で配置されている。つまり、ランプ（4）、ランプ（5）、及びランプ（6）は、左から順に、ランプ（4）→ランプ（5）→及びランプ（6）の順序で配置されている。
このように、左ストップスイッチＬの状態を示すランプ（4）、中ストップスイッチＣの状態を示すランプ（5）、及び右ストップスイッチＲの状態を示すランプ（6）は、上下方向に沿って連続して配置されたセレクターセンサＡの状態を示すランプ（12）、セレクターセンサＢの状態を示すランプ（13）、及びセレクターセンサＣの状態を示すランプ（14）とは異なる方向に沿って連続して配置されており、第２の実施形態では、左右方向に配置されている。
【０１９１】
また、解除センサ77に対応するランプ（15）は、セレクターセンサ92に対応するランプ145の少なくとも一部であるランプ（12）及びランプ（13）、払出センサ94に対応するランプ（11）、及びオーバーフローセンサ96に対応するランプ（16）に隣接するよう配置されている。
【０１９２】
ここで、第２の実施形態では、払出し関連エラー（ホッパーエンプティエラー、払出し詰まりエラー）、投入関係エラー、オーバーフローエラーの解除条件として、エラー原因を取り除いた後、解除センサ77の検知又は設定変更スイッチ46の操作を必要としている。これにより、第２の実施形態によれば、エラー発生時にエラー原因を取り除いたり各種部品が正常か否かを対応するランプ145で確認したりしつつ、その確認対象のランプ145に隣接するランプ（15）を見ながら解除センサ77の検知（ドアキー13を所定方向（前扉14の正面視における反時計回り）に回転させる）を確認することができるため、エラー解除作業を効率的かつ確実に行うことができる。
【０１９３】
（作用効果）
第２の実施形態では、モニターランプ140に、最大の数字がランプ識別子として割り当てられた第１グループと、第１グループに割り当てられた以外の連続する数字がランプ識別子として割り当てられた第２グループとが設けられている。そして、第２グループを構成するランプ（1）から（17）は、当該ランプ145に対応する各種部品の正常時及び異常時における点灯状態が共通するが、第１グループを構成するランプ（18）と第２グループを構成するランプ（1）から（17）とは、当該ランプ145に対応する各種部品の正常時及び異常時における点灯状態が異なっている。
【０１９４】
これにより、第２の実施形態では、第１グループを構成するランプ（18）に対応する各種部品の正常時及び異常時における点灯状態と、第２グループを構成するランプ（1）から（17）に対応する各種部品の正常時及び異常時における点灯状態とを記載した説明資料の記載を簡略化できる。つまり、グループ毎の点灯状態を纏めて記載できるため、説明資料を少ない文字数で作成でき、これにより、遊技機10に貼付可能なサイズで説明資料を作成することが可能となる。例えば、遊技機10に貼付可能な説明資料として、遊技機10内部の筐体12側側面などに貼付可能なサイズのシール状の説明資料を作ることができる。
【０１９５】
遊技店の店員は、例えば、遊技機10内部の筐体12側側面（モニターランプ140の近傍）に当該説明資料が貼付された場合、手元の説明資料に視線を移す必要がなくなり、効率的に確認作業を行うことができる。モニターランプ140の配置や正常時及び異常時の点灯状態は各メーカー及び各機種によって様々であるため、従来は、その都度対応する説明資料を持ち運んで確認作業を行ったり、確認作業前に点灯状態を予め把握したりするのが大変だったが、第２の実施形態によれば、この問題が解決される。さらに、第２の実施形態によれば、遊技機10に貼付されることで説明資料を持ち運ぶことが不要となり、貼付しない場合であっても、文字数が少ないため確認作業前に点灯状態を予め把握することが容易になる。
【０１９６】
（第３の実施形態）
次に、第３の実施形態について他の実施形態との重複部分を省略又は簡略しつつ説明する。
第３の実施形態におけるモニターランプ140は、２３個のランプ145から構成されていた第１の実施形態よりもランプ145の数が少なくなっている。なお、ランプ145の数は限定されず、第１の実施形態より多くてもよい。
【０１９７】
図１４及び図１５に示すように、第３の実施形態におけるモニターランプ140は、２０個のランプ145から構成されている。そして、第３の実施形態では、「行」が２０行設けられ、「列」が１列設けられている。
【０１９８】
ここで、１列目は、１行目に「ランプ（1）」、２行目に「ランプ（2）」、３行目に「ランプ（3）」、４行目に「ランプ（4）」、５行目に「ランプ（5）」、６行目に「ランプ（6）」、７行目に「ランプ（7）」、８行目に「ランプ（8）」、９行目に「ランプ（9）」、１０行目に「ランプ（10）」、１１行目に「ランプ（11）」、１２行目に「ランプ（13）」、１３行目に「ランプ（12）」、１４行目に「ランプ（14）」、１５行目に「ランプ（15）」、１６行目に「ランプ（16）」、１７行目に「ランプ（17）」、１８行目に「ランプ（18）」、１９行目に「ランプ（19）」、２０行目に「ランプ（20）」が配置されている。
【０１９９】
図１４及び図１５に示すように、第３の実施形態における素子搭載領域204は、端部に配置されたランプ145であるランプ（1）、（20）を囲んで形成される領域とされている。第３の実施形態におけるモニターランプ140のうち、素子搭載領域204の端部に配置されたランプ145は、１列目の１行目の「ランプ（1）」、１列目の２０行目の「ランプ（20）」である。
【０２００】
そして、ランプ（1）に隣接するランプ145は、ランプ（2）の「１つ」であり、ランプ（20）に隣接するランプ145は、ランプ（19）の「１つ」である。したがって、第３の実施形態において、隣接するランプ145の数が最少となるランプ145は「ランプ（1）」又は「ランプ（20）」である。
【０２０１】
このとき、第３の実施形態では、ランプ（1）を囲んで形成される素子搭載領域204の上端の領域を第２領域208としている。これにより、素子搭載領域204のうち、破線で囲まれていない領域が第１領域206となり、破線で囲まれた領域が第２領域208となる。
【０２０２】
図１６は、第３の実施形態における説明資料の一例である。以下、第３の実施形態におけるランプ識別子に対応する各種部品を記載する。
ランプ（1）は「オーバーフローセンサ96」に対応するランプ145である。なお、ランプ（1）は「補助タンク用素子」の一例である。
ランプ（2）は「左ストップスイッチＬ」に対応するランプ145である。
【０２０３】
ランプ（3）は「中ストップスイッチＣ」に対応するランプ145である。
ランプ（4）は「右ストップスイッチＲ」に対応するランプ145である。
ランプ（5）は「精算スイッチ36」に対応するランプ145である。
ランプ（6）は「設定変更スイッチ46」に対応するランプ145である。
ランプ（7）は「扉開閉用スイッチ19」に対応するランプ145である。
ランプ（8）は「左回転リールセンサ」に対応するランプ145である。
ランプ（9）は「中回転リールセンサ」に対応するランプ145である。
【０２０４】
ランプ（10）は「右回転リールセンサ」に対応するランプ145である。
ランプ（11）は「マックスベットスイッチ34」に対応するランプ145である。
ランプ（12）は「セレクターセンサＡ」に対応するランプ145である。
ランプ（13）は「セレクターセンサＢ」に対応するランプ145である。
ランプ（14）は「セレクターセンサＣ」に対応するランプ145である。
ランプ（15）は「払出センサ94」に対応するランプ145である。
ランプ（16）は「設定キースイッチ45」に対応するランプ145である。
ランプ（17）は「自動解除スイッチ」に対応するランプ145である。
【０２０５】
ランプ（18）及び（19）は「スタートスイッチ40」に対応するランプ145である。ここで、第３の実施形態では、スタートスイッチ40に対応して設けられたスタートスイッチセンサを２種類備えている。具体的には、第３の実施形態は、スタートスイッチセンサとして、スタートスイッチ40が傾倒したことを検知するスタートスイッチセンサＡと、スタートスイッチ40が傾倒したこと及び磁気を検知するスタートスイッチセンサＢと、を備えている。
ランプ（20）は「電源スイッチ44」に対応するランプ145である。
【０２０６】
次に、各ランプ145の正常時における点灯タイミングを説明する。
ランプ（1）からランプ（18）までは、各ランプ145に対応する各種部品の操作時又は動作時に随時点灯する。
【０２０７】
スタートスイッチセンサＢに対応するランプ（19）は、スタートスイッチ40が傾倒したこと及び磁気が検知された場合に点灯する。つまり、ランプ（19）は、スタートスイッチ40が傾倒したことの検知、又は磁気の検知の一方のみでは点灯しない。これに対し、スタートスイッチセンサＡに対応するランプ（18）は、スタートスイッチ40が傾倒したことの検知のみで点灯する。
電源スイッチ44に対応するランプ（20）は、電源スイッチ44に対する電源投入のための操作が行われ、電源がＯＮとなっている場合は常時点灯する。
【０２０８】
次に、各ランプ145の異常時における動作例を説明する。
ランプ（1）からランプ（19）までは、各種部品の操作又は動作が行われていなくとも常時点灯する。
電源スイッチ44に対応するランプ（20）は、電源スイッチ44に対する電源投入のための操作が行われ、電源がＯＮとなっている場合でもランプ145が点灯しない、すなわち、ランプ145が消灯した状態となる。
【０２０９】
次に、モニターランプ140の各々のランプ145の素子搭載領域204における特徴的な配置について説明する。
図１５に示すように、モニターランプ140の各々のランプ145のうち、特定ランプ（ランプ（2）からランプ（20））は第１領域206に配置され、オーバーフローセンサ96に対応するランプ（1）は第２領域208に配置されている。また、ランプ（1）は、素子搭載領域204において、特定ランプと区別された位置に配置されている、ともいえる。
さらに、ランプ（1）は、素子搭載領域204において、隣接するランプ145の数が最少となる位置に配置されている、ともいえる。具体的には、第３の実施形態では、上記のように、ランプ（1）に隣接するランプ145は、ランプ（2）の「１つ」であり、素子搭載領域204において最少となっている。
【０２１０】
また、セレクターセンサＡの状態を示すランプ（12）、セレクターセンサＢの状態を示すランプ（13）、セレクターセンサＣの状態を示すランプ（14）は、素子搭載領域204において、上下方向に沿って連続して配置されている。
【０２１１】
そして、上下方向におけるランプ（12）、ランプ（13）、及びランプ（14）の配置順は、メイン基板202に記されたランプ識別子の昇順又は降順の何れにも対応せず、メダルに関する検知を行う順序に対応している。
【０２１２】
具体的には、第３の実施形態では、セレクターセンサＣ→セレクターセンサＡ→セレクターセンサＢの検知順に対応して、下方から上方に向かって、セレクターセンサＣの状態を示すランプ（14）→セレクターセンサＡの状態を示すランプ（12）→セレクターセンサＢの状態を示すランプ（13）の順に配置されている。
【０２１３】
また、スタートスイッチ40に対応するランプ（18）及び（19）は、上下に隣接するよう配置されている。
ここで、スタートスイッチ40の傾倒を検知するために磁気センサを用いる機種が存在する。そして、磁気センサを用いた機種では、外部からの磁気を使い遊技者の操作とは無関係にスタートスイッチ40の傾倒を検知させて役抽選を行わせるような不正行為が想定される。この不正行為の対策として、スタートスイッチ40のユニットの内部又は近傍に遊技機10の外部からの磁気を検知するための検知センサを搭載することが想定される。そこで、第３の実施形態では、上記の不正行為の対策として、検知センサ（スタートスイッチセンサＢ）を搭載するとともに、スタートスイッチセンサＢに対応するランプ（19）をモニターランプ140に搭載している。
【０２１４】
第３の実施形態では、ランプ（18）及び（19）を隣接して配置することで、正常状態（ランプ（18）のみ点灯）か、不正行為の疑いがある（ランプ（18）及び（19）が点灯）か、異常状態（スタートスイッチ40を傾倒させてもランプ（18）及び（19）の双方が点灯しない）かを纏めて確認できる。
【０２１５】
また、第３の実施形態では、スタートスイッチセンサＢに対応するランプ（19）を、スタートスイッチ40が傾倒したこと及び磁気が検知された場合に点灯させることで、スタートスイッチ40が傾倒していない、すなわち、不正行為を目的としていない磁気の検知については点灯対象としないことで、消費電力を低減でき、部品寿命を長期化することができる。なお、この構成に限らず、スタートスイッチセンサＢに対応するランプ（19）は、スタートスイッチ40が傾倒していなくても磁気が検知された場合に点灯するようにしてもよい。
【０２１６】
（第４の実施形態）
次に、第４の実施形態について他の実施形態との重複部分を省略又は簡略しつつ説明する。
図１７は、第４の実施形態における説明資料の一例である。
図１７に示すように、説明資料には、各種部品を識別する部品識別子と、部品識別子に対応する各種部品と、部品識別子に対応する各種部品の確認箇所と、が記載されている。
【０２１７】
各種部品に対応させて説明資料に記す部品識別子は、前扉14の外面に配置される複数の部品で構成される第１部品グループ、前扉14の内面に配置される複数の部品で構成される第２部品グループ、及び筐体12の内部に配置される複数の部品で構成される第３部品グループの各々で異なる数字が割り当てられている。
【０２１８】
第１部品グループは、部品識別子（1）に対応する「シングルベットスイッチ35」、部品識別子（2）に対応する「マックスベットスイッチ34」、部品識別子（3）に対応する「スタートスイッチ40」、部品識別子（4）に対応する「左ストップスイッチＬ」、部品識別子（5）に対応する「中ストップスイッチＣ」、部品識別子（6）に対応する「右ストップスイッチＲ」、及び部品識別子（7）に対応する「精算スイッチ36」から構成されている。
【０２１９】
第２部品グループは、部品識別子（8）に対応する「解除センサ77」、部品識別子（9）に対応する「セレクターセンサＡ」、部品識別子（10）に対応する「セレクターセンサＢ」、部品識別子（11）に対応する「セレクターセンサＣ」、部品識別子（12）に対応する「設定変更スイッチ46」、及び部品識別子（13）に対応する「自動解除スイッチ」から構成されている。
【０２２０】
第３部品グループは、部品識別子（14）、（15）に対応する「設定キースイッチ45」、部品識別子（16）に対応する「左回転リールセンサ」、部品識別子（17）に対応する「中回転リールセンサ」、部品識別子（18）に対応する「右回転リールセンサ」、部品識別子（19）に対応する「扉開閉用スイッチ19」、部品識別子（20）に対応する「払出センサＡ」、部品識別子（21）に対応する「払出センサＢ」、部品識別子（22）に対応する「電源スイッチ44」、及び部品識別子（23）に対応する「オーバーフローセンサ96」から構成されている。
【０２２１】
そして、第１部品グループ、第２部品グループ、及び第３部品グループの各々に割り当てられた数字は、筐体12又は前扉14を正面視した場合（具体的には、第１部品グループは前扉14の外面を正面視した場合、第２部品グループ前扉14の内面を正面視した場合、第３部品グループは筐体12の内部を臨むよう正面視した場合）に上下方向に向かって昇順又は降順に並ぶように割り当てられている。
【０２２２】
例えば、第１部品グループでは、操作部30（図１参照）において上方側に位置する「シングルベットスイッチ35」に部品識別子（1）が割り当てられ、シングルベットスイッチ35の右側に位置する「マックスベットスイッチ34」に部品識別子（2）が割り当てられている。また、第１部品グループでは、操作部30（図１参照）において下方側に位置する「スタートスイッチ40」に部品識別子（3）が割り当てられ、スタートスイッチ40の右側に位置する「左ストップスイッチＬ」に部品識別子（4）が割り当てられ、左ストップスイッチＬの右側に位置する「中ストップスイッチＣ」に部品識別子（5）が割り当てられ、中ストップスイッチＣの右側に位置する「右ストップスイッチＲ」に部品識別子（6）が割り当てられ、右ストップスイッチＲの右側に位置する「精算スイッチ36」に部品識別子（7）が割り当てられている。
【０２２３】
このように、部品識別子は、上方から下方に向かって数字が昇順に並ぶように割り当てられている。また、部品識別子は、各種部品の高さ位置が同じ場合、左方から右方に向かって数字が昇順に並ぶように割り当てられている。そのため、図１７に示す説明資料の各種部品の確認箇所において、上方から下方に向かって数字が昇順に並ぶよう記載することができる。
【０２２４】
（作用効果）
第４の実施形態では、前扉14の外面に配置される複数の部品で構成される第１部品グループ、前扉14の内面に配置される複数の部品で構成される第２部品グループ、及び筐体12の内部に配置される複数の部品で構成される第３部品グループの各々で異なる数字が割り当てられている。そして、第１部品グループ、第２部品グループ、及び第３部品グループの各々に割り当てられた数字は、筐体12又は前扉14を正面視した場合に上下方向に向かって昇順又は降順に並ぶように割り当てられている。
【０２２５】
これにより、第４の実施形態によれば、各種部品に対応する部品識別子が上下方向に向かって昇順に並んだ説明資料を作成できる。遊技店の店員は、当該説明資料を上下方向の一方側から他方側に向かって視線を移していくことで、部品識別子の昇順に合わせて各種部品の確認箇所を効率良く確認できる。
【０２２６】
（変形例）
上記の各実施形態では、特定ランプをオーバーフローセンサ96以外の各種部品の状態を示すランプ145とした。このとき、「オーバーフローセンサ96以外の各種部品」は、オーバーフローセンサ96以外の各種部品の全てでもよいし、オーバーフローセンサ96以外の各種部品の一部であってもよい。
【０２２７】
上記の各実施形態において、第２領域208とは、素子搭載領域204の端部に配置されたランプ145のうち、隣接するランプ145の数が最少となるランプ145を囲んで形成される領域としたが、これに限らず、以下の領域を第２領域208としてもよい。
【０２２８】
例えば、図９において、第２領域208は、第１の実施形態のように３列目の９行目を囲んだ領域とすることに限らず、ランプ145が配置されていない３列目の６行目や７行目等を囲んだ領域としてもよい。この場合、素子搭載領域204において、３列目の６行目や７行目等に配置されたオーバーフローセンサ96に対応するランプＶを囲った領域の外側が第１領域206となる。
【０２２９】
また、図９において、ランプＶを３列目の１行目のランプＳの右側、すなわち、４列目の１行目に配置し、そこに配置されたランプＶを囲んだ領域を第２領域208としてもよい。つまり、第１領域206とは異なる他の列における領域を第２領域208としてもよい。この場合における素子搭載領域204は、他の列に配置されたランプＶまでを囲んだ領域となる。さらに、４列目等の他の列にランプＶを配置する場合には、１列目から３列目までの各行に配置されたランプ145に隣り合う必要はなく、例えば、１行目と２行目との行間にランプＶを配置してもよい。
【０２３０】
また、図９において、ランプＶを１列目の９行目のランプＩの下側、すなわち、１列目の１０行目に配置し、そこに配置されたランプＶを囲んだ領域を第２領域208としてもよい。つまり、第１領域206とは異なる他の行における領域を第２領域208としてもよい。この場合における素子搭載領域204は、他の行に配置されたランプＶまでを囲んだ領域となる。さらに、１０行目等の他の行にランプＶを配置する場合には、１行目から９行目までの各列に配置されたランプ145に隣り合う必要はなく、例えば、１列目と２列目との列間にランプＶを配置してもよい。
【０２３１】
また、図９において、ランプＶを第１領域206に配置されたランプ145から少し離れた位置（例：２行以上、２列以上離れた位置）に配置し、そこに配置されたランプＶを囲んだ領域を第２領域208としてもよい。この場合における素子搭載領域204は、第１領域206に配置されたランプ145から少し離れた位置に配置されたランプＶまでを囲んだ領域となる。
【０２３２】
上記の各実施形態では、左回転リールセンサ、中回転リールセンサ、又は右回転リールセンサに対応するランプ145は、対応する各種部品の操作時又は動作時に点灯することとした。しかし、これに限らず、左回転リールセンサ、中回転リールセンサ、又は右回転リールセンサに対応するランプ145を常時点灯させておき、対応する各種部品の操作時又は動作時に消灯させることとしてもよい。確認作業時に回転リール62を手動で回転させるのではなく、リール駆動モータ65の駆動により回転させる場合には、回転速度が速く、一時的なランプ145の点灯を見逃すおそれがあるが、上記のように構成すれば、この問題を解決できるためである。
【０２３３】
上記の各実施形態では、メイン基板202に１つの素子搭載領域204を設けたが、これに限らず、２つ以上の素子搭載領域204を設けてもよい。例えば、メイン基板202の左端側の領域と右端側の領域とに素子搭載領域204を設け、合計で２つの素子搭載領域204が設けられていてもよい。そして、２つ以上の素子搭載領域204を設けた場合には、そのうちの少なくとも１つの素子搭載領域204が上記の各実施形態や変形例のように形成されていればよい。
【０２３４】
上記の各実施形態では、モニターランプ140がメイン基板202に搭載された場合を例に説明したが、これに限らず、モニターランプ140を例えばサブ基板などのメイン基板202以外の他の基板に搭載してもよい。
【０２３５】
上記の各実施形態では、各種部品のモニターランプ140を試点灯させる方法について説明したが、これに代えて、あるいは加えて、少なくとも一部のセンサについて、電源供給を停止したときにセンサの出力に対応してランプ145を所定時間点灯させることにより、ランプ145の点灯によるセンサの動作確認を行うようにしてもよい。
【０２３６】
セレクターセンサ92、払出センサ94などに対応するランプ145を確認する場合には、メダルの投入や払出しを行うことでランプ145の点灯を確認する。すなわち、セレクターセンサ92や払出センサ94など、一部のセンサは前扉14を開放しただけでは点灯状態を確認することができない。センサが検知状態となった時にランプ145を消灯し、非検知状態となったときにランプ145を点灯させるようにすることも考えられるが、消費電力や部品寿命の観点から適切ではない。そこで、電源スイッチ44がオフ操作（電源遮断のための操作）され、メイン基板202、セレクターセンサ92、払出センサ94への電源供給が停止されたときに、対応するランプ145がそれぞれ所定時間点灯し、所定時間点灯した後に消灯するように形成するとよい。これにより、閉店時などの電源スイッチ44のオフ操作時において、メダルの投入や払出しを行うことなくランプ145に対応するセンサの動作状況を確認することができる。例えば、セレクターセンサ92に異常がある場合は、電源スイッチ44のオフ操作による電源供給停止後に、対応するランプ145が点灯しないことで、セレクターセンサ92に異常の疑いがあることを認識できる。
【０２３７】
具体的には、例えば、払出センサ94は光学センサにより構成されており、電源ユニット43により電源が供給され、メダルの通過を検知していないとき、すなわち光学センサの発光部と受光部との間が遮蔽されておらず、受光部からＨｉｇｈ信号が出力される状態のときにランプ145が消灯し、メダルの通過を検知したとき、すなわち光学センサの発光部と受光部との間を遮蔽され、受光部からＬｏｗ信号が出力される状態のときにランプ145が点灯する。ここで、電源ユニット43と光学センサとは第１電源配線で接続され、電源ユニット43とランプ145とは降圧回路を介して第２電源配線で接続されている。
【０２３８】
そして、電源スイッチ44のオフ操作により電源ユニット43からの電源供給が停止されると、光学センサの電圧が降下し、光学センサの発光部が消灯することで受光部からＬｏｗ信号が出力される。このとき、降圧回路や配線の違いによる遅延時間によりランプ145に供給される電圧は所定時間の遅れをもって低下する。そのため、光学センサの受光部からＬｏｗ信号によるランプ145が点灯状態を保持し、遅延時間による所定時間を経て、ランプ145へ供給される電圧が点灯状態を維持するために必要な電圧以下に低下するとランプ145が消灯する。このように、ランプ145への点灯状態を維持するために必要な電源供給が停止するタイミングよりも、光学センサの発光部への電源供給が停止するタイミングのほうが早く訪れるため、電源スイッチ44のオフ操作による電源供給停止後であってもランプ145が所定時間点灯状態を維持できる。
【０２３９】
なお、センサの種類（セレクターセンサ92、払出センサ94、又はセレクターセンサＡ、Ｂ、Ｃ、払出センサＡ、Ｂ）によって配線を異ならせ、電源スイッチ44のオフ操作時に予め定められた順序で点灯するようにしてもよい。これにより、順々に注視でき、確認しやすくできる。また、降圧回路を設ける構成としたが、これに限らず、電源供給の停止から所定時間だけランプ145に電源を供給し続けることができる構成であればよく、ハーネスの構成が異なっていたり、各構成要素の距離が異なっていたりしてもよい。
【０２４０】
上記の各実施形態では、セレクターセンサＡの状態を示すランプ145、セレクターセンサＢの状態を示すランプ145、セレクターセンサＣの状態を示すランプ145を、素子搭載領域204において上下方向に沿って連続して配置したが、これに限らず、左右方向に沿って連続して配置してもよい。
【０２４１】
上記の各実施形態では、第２グループを構成するランプ145は、当該ランプ145に対応する各種部品の正常時及び異常時における点灯状態が共通することとした。しかし、第２グループを構成するランプ145は、当該ランプ145に対応する各種部品の正常時及び異常時の少なくとも一方における点灯状態が共通すればよい。つまり、第２グループを構成するランプ145は、正常時における点灯状態のみが共通してもよいし、異常時における点灯状態のみが共通してもよいし、正常時及び異常時における点灯状態が共通してもよい。
【０２４２】
上記の各実施形態では、第１グループを構成するランプ145と第２グループを構成するランプ145とは、当該ランプ145に対応する各種部品の正常時及び異常時の点灯状態が異なることとした。しかし、第１グループを構成するランプ145と第２グループを構成するランプ145とは、当該ランプ145に対応する各種部品の正常時及び異常時の少なくとも一方における点灯状態が異なればよい。つまり、第１グループを構成するランプ145と第２グループを構成するランプ145とは、正常時における点灯状態のみが異なってもよいし、異常時における点灯状態のみが異なってもよいし、正常時及び異常時における点灯状態が異なってもよい。
【０２４３】
第１の実施形態では、異常時において、ランプＡからランプＶまでは、各種部品の操作又は動作が行われていなくとも常時点灯することとした。しかし、これに限らず、異常時において、ランプＡからランプＶまでは、各種部品の操作又は動作が行われた場合でもランプ145が点灯しない、すなわち、ランプ145が消灯した状態としてもよい。
【０２４４】
第２の実施形態では、第１グループに最大の数字をランプ識別子として割り当てたが、これに限らず、第１グループに最小の数字を割り当ててもよい。また、ランプ識別子を英字とした場合には、第１グループに最前又は最後の英字を割り当ててもよい。この場合、第２グループには、第１グループに割り当てられた以外の連続する英字がランプ識別子として割り当てられる。
【０２４５】
第２の実施形態では、異常時において、ランプ（1）からランプ（17）までは、各種部品の操作又は動作が行われていなくとも常時点灯することとした。しかし、これに限らず、異常時において、ランプ（1）からランプ（17）までは、各種部品の操作又は動作が行われた場合でもランプ145が点灯しない、すなわち、ランプ145が消灯した状態としてもよい。
【０２４６】
第２の実施形態では、オーバーフローセンサ96に対応するランプ（16）を囲んで形成される素子搭載領域204の上端かつ右端の領域を第２領域208としたが、これに限らず、素子搭載領域204の上端かつ左端の領域にランプ（16）を配置して、素子搭載領域204の上端かつ左端の領域を第２領域208としてもよい。
【０２４７】
第３の実施形態では、異常時において、ランプ（1）からランプ（19）までは、各種部品の操作又は動作が行われていなくとも常時点灯することとした。しかし、これに限らず、異常時において、ランプ（1）からランプ（19）までは、各種部品の操作又は動作が行われた場合でもランプ145が点灯しない、すなわち、ランプ145が消灯した状態としてもよい。
【０２４８】
第３の実施形態では、オーバーフローセンサ96に対応するランプ（1）を囲んで形成される素子搭載領域204の上端の領域を第２領域208としたが、これに限らず、素子搭載領域204の下端の領域にランプ（1）を配置して、素子搭載領域204の下端の領域を第２領域208としてもよい。
【０２４９】
第４の実施形態では、第１部品グループ、第２部品グループ、及び第３部品グループの各々に割り当てられた数字を、筐体12又は前扉14を正面視した場合に上下方向に向かって昇順又は降順に並ぶように割り当てていたが、これに限らず、左右方向に向かって昇順又は降順に並ぶように割り当ててもよい。
【０２５０】
なお、上記の各実施形態や変形例に記載された内容は、本発明の主旨を逸脱しない範囲で適宜組み合わせることが可能である。
【符号の説明】
【０２５１】
10  遊技機                              12  筐体
13  ドアキー
14  前扉                                16  図柄表示窓部
17  メダルセレクター                    18  外部集中端子板
19  扉開閉用スイッチ                    20  上パネル
22  下パネル                            24  ホッパーユニット
26  メダル受け皿                        28  メダル払出口
30  操作部                              32  ベットスイッチ
34  マックスベットスイッチ              35  シングルベットスイッチ
36  精算スイッチ                        38  メダル投入口
40  スタートスイッチ                    42  演出用ボタンスイッチ
43  電源ユニット                        44  電源スイッチ
45  設定キースイッチ                    46  設定変更スイッチ
50  ストップスイッチ                    Ｌ  左ストップスイッチ
Ｃ  中ストップスイッチ                  Ｒ  右ストップスイッチ
60  リールユニット                      61  図柄
62  回転リール                          63  リール位置センサ
64  左回転リール                        65  リール駆動モータ
66  中回転リール                        67  バックランプ
68  右回転リール                        70  演出装置
72  スピーカー                          74  上部スピーカー
76  下部スピーカー                      77  解除センサ
78  演出用ランプ
80  上部ランプ                          82  下部ランプ
84  表示部                              86  有効ライン
87  クレジット表示器                    88  払出枚数表示器
89  設定表示器                          90  区間報知ランプ
92  セレクターセンサ
94  払出センサ                          95  ホッパーモータ
96  オーバーフローセンサ            
100  制御装置                           140  モニターランプ
200  メイン制御手段                     202  メイン基板
204  素子搭載領域                       206  第１領域
208  第２領域                           210  役抽選手段
220  リール制御手段                     230  停止図柄判定手段
240  配当付与手段                       250  遊技状態制御手段
251  ノーマル遊技状態制御手段           252  ボーナス内部中状態制御手段
253  ボーナス遊技状態制御手段
260  有利区間制御手段                   270  送信手段
500  サブ制御手段                       510  受信手段
520  報知手段
【要約】
【課題】各スイッチ類やセンサ類の確認を容易に行えるよう発光素子が配置された遊技機を提供する。
【解決手段】基板ケースに収納された基板と、前記基板の素子搭載領域に搭載され、各種部品の状態を示す複数の発光素子と、を備え、前記素子搭載領域には、前記複数の発光素子として、遊技媒体を貯蔵可能な補助タンクに対応する補助タンクセンサの状態を示す補助タンク用素子と、前記補助タンクセンサ以外の前記各種部品の状態を示す複数の特定素子と、が搭載され、前記補助タンク用素子は、前記素子搭載領域において、隣接する発光素子の数が最少となる位置に配置されている。
【選択図】図９【図１】
0006681104.tif 000002
【図２】
0006681104.tif 000003
【図３】
0006681104.tif 000004
【図４】
0006681104.tif 000005
【図５】
0006681104.tif 000006
【図６】
0006681104.tif 000007
【図７】
0006681104.tif 000008
【図８】
0006681104.tif 000009
【図９】
0006681104.tif 000010
【図１０】
0006681104.tif 000011
【図１１】
0006681104.tif 000012
【図１２】
0006681104.tif 000013
【図１３】
0006681104.tif 000014
【図１４】
0006681104.tif 000015
【図１５】
0006681104.tif 000016
【図１６】
0006681104.tif 000017
【図１７】
0006681104.tif 000018